(57)【要約】【課題】サーボ制御の負荷を軽減することができる。【解決手段】色光ビームＬｂ１を集光して光ディスク１００に照射し、記録マークＲＭを形成すべき目標深さ、及び記録マークＲＭを形成すべき目標トラックに、青色光ビームＬｂ１の焦点Ｆｂ１が位置するように焦点Ｆｂ１を移動させ、光ディスク１００に照射されるときの青色光ビームＬｂ１の光軸Ｌｘ１と輪郭Ｌｏ１とのなす第１集光角α１よりも、光ディスク１００に照射されるときの青色光ビームＬｂ２の光軸Ｌｘ２と輪郭Ｌｏ２とのなす第２集光角α２を小さくすることにより、ビームウエスト径Ｓ１よりも焦点Ｆｂ２における光束径であるビームウエスト径Ｓ２が大きくなるように青色光ビームＬｂ２を集光して光ディスク１００に照射し、焦点Ｆｂ２を目標深さに合わせると共に青色光ビームＬｂ２を目標トラックに照射するよう焦点Ｆｂ２を移動させるようにした。【選択図】図１４
2009008938.tif 000002
【特許請求の範囲】
【請求項１】
光源から出射された光を第１及び第２の光に分離すると共に、光情報記録媒体の両面側から上記第１及び第２の光をそれぞれ照射し、上記光情報記録媒体の内部で当該第１及び第２の光を重複させることによりホログラムでなる記録マークを形成する光情報記録装置において、
上記第１の光を集光して上記光情報記録媒体に照射する第１の集光部と、
上記光情報記録媒体に対して近接又は離隔する深さ方向における上記記録マークを形成すべき目標深さ、及び上記光情報記録媒体の上記両面に平行な平行方向における上記記録マークを形成すべき目標トラックに、上記第１の光の焦点が位置するように上記第１の光の焦点を移動させる第１の焦点移動部と、
上記光情報記録媒体に照射されるときの上記第１の光の光軸と輪郭部分とのなす第１の集光角よりも、上記光情報記録媒体に照射されるときの上記第２の光の光軸と最外周部分とのなす第２の集光角を小さくすることにより、上記第１の光の焦点における光束径よりも上記第２の光の焦点における光束径が大きくなるように上記第２の光を集光して上記光情報記録媒体に照射する第２の集光部と、
上記第２の光の焦点を上記目標深さに合わせると共に、上記第２の光を上記目標トラックに照射するよう上記第２の光の焦点を移動させる第２の焦点移動部と
を具えることを特徴とする光情報記録装置。
【請求項２】
上記第２の焦点移動部は、
上記第２の光の光軸が上記第１の光の光軸に追従するよう上記第２の焦点移動部を制御することにより、上記第２の光を上記目標トラックに照射する
ことを特徴とする請求項１に記載の光情報記録装置。
【請求項３】
上記第２の焦点移動部は、
上記第１の光が上記第２の光からはみ出さないように、上記第２の光の光軸を上記第２の光軸に追従させる
ことを特徴とする請求項２に記載の光情報記録装置。
【請求項４】
上記第１の集光部及び上記第２の集光部は、
上記第２の光の焦点における光強度密度と、上記第１の光の焦点における光強度密度とを同等にする
ことを特徴とする請求項１に記載の光情報記録装置。
【請求項５】
上記光を上記第１の光と上記第２の光とに分離する際に当該第１及び第２の光の割合を調整することにより、上記目標位置における上記第２の光の光強度密度と、上記目標位置における上記第１の光の光強度密度とを同等にする光強度調整部
を具えることを特徴とする請求項１に記載の光情報記録装置。
【請求項６】
上記第１の集光部は、
上記光情報記録装置と対向するように配置された第１の対物レンズを有し、
上記第２の集光部は、
上記光情報記録装置と対向するように配置された第２の対物レンズを有し、
上記第１の対物レンズの開口数を上記第２の対物レンズの開口数よりも大きくすることにより、上記第２の光の集光角を上記第１の光の集光角よりも小さくする
ことを特徴とする請求項１に記載の光情報記録装置。
【請求項７】
上記第１の集光部は、
上記光情報記録装置と対向するように配置された第１の対物レンズを有し、
上記第２の集光部は、
上記光情報記録装置と対向するように配置された第２の対物レンズを有し、
上記第１の対物レンズに入射するときの上記第１の光の光束径と上記第２の対物レンズに入射するときの上記第２の光の光束径とを相違させることにより、上記第２の光の集光角を上記第１の光の集光角よりも小さくする
ことを特徴とする請求項１に記載の光情報記録装置。
【請求項８】
上記第１の集光部は、
上記光情報記録装置と対向するように配置された第１の対物レンズを有し、
上記第２の集光部は、
上記光情報記録装置と対向するように配置された第２の対物レンズを有し、
上記第１の対物レンズの屈折率と上記第２の対物レンズの屈折率とを相違させることにより、上記第２の光の集光角を上記第１の光の集光角よりも小さくする
ことを特徴とする請求項１に記載の光情報記録装置。
【請求項９】
上記第１の集光部は、
上記光情報記録装置と対向するように配置された第１の対物レンズを有し、
上記第２の集光部は、
上記光情報記録装置と対向するように配置された第２の対物レンズを有し、
上記第１及び第２の対物レンズに入射されるときの上記第１及び第２の光の収束状態を相違させることにより、上記第２の光の集光角を上記第１の光の集光角よりも小さくする
ことを特徴とする請求項１に記載の光情報記録装置。
【請求項１０】
上記第１集光部は、
上記記録マークが記録された光情報記録媒体に対して上記第１の光を照射し、
上記第１の光が上記光情報記録媒体によって反射されてなる反射光ビームに基づいて、上記光情報記録媒体に記録された情報を読み出す読出部
を具えることを特徴とする請求項１に記載の光情報記録装置。
【請求項１１】
光源から出射された光を第１及び第２の光に分離すると共に、光情報記録媒体の両面側から上記第１及び第２の光をそれぞれ照射し、上記光情報記録媒体の内部で当該第１及び第２の光を重複させることによりホログラムでなる記録マークを形成する光ピックアップにおいて、
上記第１の光を集光して上記光情報記録媒体に照射する第１の集光部と、
上記光情報記録媒体に対して近接又は離隔する深さ方向における上記記録マークを形成すべき目標深さ、及び上記光情報記録媒体の上記両面に平行な平行方向における上記記録マークを形成すべき目標トラックに、上記第１の光の焦点が位置するように上記第１の光の焦点を移動させる第１の焦点移動部と、
上記光情報記録媒体に照射されるときの上記第１の光の光軸と最外周部分とのなす第１の集光角よりも、上記光情報記録媒体に照射されるときの上記第２の光の光軸と最外周部分とのなす第２の集光角を小さくすることにより、上記第１の光の焦点における光束径よりも上記第２の光の焦点における光束径が大きくなるように上記第２の光を集光して上記光情報記録媒体に照射する第２の集光部と、
上記第２の光の焦点を上記目標深さに合わせると共に、上記第２の光を上記目標トラックに照射するよう上記第２の光の焦点を移動させる第２の焦点移動部と
を具えることを特徴とする光ピックアップ。
【請求項１２】
光源から出射された光を第１及び第２の光に分離すると共に、光情報記録媒体の両面側から上記第１及び第２の光をそれぞれ照射し、上記光情報記録媒体の内部で当該第１及び第２の光を重複させることによりホログラムでなる記録マークを形成する方法において、
上記第１の光を集光する上記光情報記録媒体に照射する際、上記光情報記録媒体に対して近接又は離隔する深さ方向における上記記録マークを形成すべき目標深さ、及び上記光情報記録媒体の上記両面に平行な平行方向における上記記録マークを形成すべき目標トラックに、上記第１の光の焦点が位置するように上記第１の光の焦点を移動させる第１の焦点移動ステップと、
上記第２の光を集光して上記光情報記録媒体に照射する際、上記光情報記録媒体に照射されるときの上記第１の光の光軸と最外周部分とのなす第１の集光角よりも、上記光情報記録媒体に照射されるときの上記第２の光の光軸と最外周部分とのなす第２の集光角を小さくすることにより、上記第１の光の焦点における光束径よりも上記第２の光の焦点における光束径を大きくした状態で、上記第２の光の焦点を上記目標深さに合わせると共に、上記第２の光を上記目標トラックに照射するよう上記第２の光の焦点を移動させる第２の焦点移動ステップと
を具えることを特徴とする光情報記録方法。
【請求項１３】
第１の光の焦点における光束径よりも焦点における光束径が大きく、上記第１の光と同一波長でなる上記第２の光が照射されたとき、上記第１及び第２の光が重複した部分に形成されるホログラムのうち、光強度の大きい明部分における屈折率を変化させて記録マークを記録する一方、上記第２の光における上記第１の光と重複しない非重複部分における屈折率を殆ど変化させない記録層
を具えることを特徴とする光情報記録媒体。
【請求項１４】
上記第１及び第２の光の殆どを透過し、上記第１の対物レンズを上記目標深さ位置及び上記目標トラック位置に駆動する際に使用される上記第１及び上記第２の光とは波長の異なる第３の光を反射する反射層
を具えることを特徴とする請求項１３に記載の光情報記録媒体。
【発明の詳細な説明】
【技術分野】
【０００１】
本発明は光情報記録装置、光ピックアップ、光情報記録方法及び光情報記録媒体に関し、例えば光ディスクにホログラムを記録する光ディスク装置に適用して好適なものである。
【背景技術】
【０００２】
従来、光ディスク装置においては、ＣＤ（Compact Disc）、ＤＶＤ（Digital Versatile Disc）及びＢｌｕ−ｒａｙ  Ｄｉｓｃ（登録商標、以下ＢＤと呼ぶ）等、光ディスクに対して光ビームを照射し、その反射光を読み取ることにより情報を再生するようになされたものが広く普及している。
【０００３】
またかかる従来の光ディスク装置では、当該光ディスクに対して光ビームを照射することにより、当該光ディスクの局所的な反射率等を変化させることにより、情報の記録を行うようになされている。
【０００４】
この光ディスクに関しては、当該光ディスク上に形成される光スポットの大きさは、およそλ／ＮＡ（λ：光ビームの波長、ＮＡ:開口数）で与えられ、解像度もこの値に比例することが知られている。例えば、直径１２０［ｍｍ］の光ディスクにおよそ２５［ＧＢ］のデータを記録し得るＢＤの詳細については、非特許文献１に示されている。
【０００５】
ところで光ディスクには、音楽コンテンツや映像コンテンツ等の各種コンテンツ、或いはコンピュータ用の各種データ等のような種々の情報が記録されるようになされている。特に近年では、映像の高精細化や音楽の高音質化等により情報量が増大し、また１枚の光ディスクに記録するコンテンツ数の増加が要求されているため、当該光ディスクのさらなる大容量化が要求されている。
【０００６】
そこで、１枚の光ディスク内で記録層を重ねることにより、１枚の光ディスクにおける記録容量を増加させる手法も提案されている（例えば、非特許文献２参照）。
【０００７】
一方、光ディスクに対する情報の記録手法として、ホログラムを用いた光ディスク装置も提案されている（例えば、非特許文献３参照）。
【０００８】
例えば図１に示すように、光ディスク装置１は、照射された光強度によって屈折率が変化するフォトポリマ等でなる光ディスク８中に、光学ヘッド７から一旦光ビームを集光し、その後光ディスク８の裏面側（図１では下側）に設けられた反射装置９を用いて、もう一度逆方向から光ビームを同一焦点位置に集光するようになされている。
【０００９】
光ディスク装置１は、レーザ２からレーザ光でなる光ビームを出射させ、音響光学変調器３によりその光波を変調し、コリメータレンズ４により平行光に変換する。続いて光ビームは、偏光ビームスプリッタ５を透過し、１／４波長板６により直線偏光から円偏光に変換されてから、光学ヘッド７へ入射される。
【００１０】
光学ヘッド７は、情報の記録及び再生を行い得るようになされており、光ビームをミラー７Ａにより反射し、対物レンズ７Ｂにより集光して、スピンドルモータ（図示せず）により回転されている光ディスク８に照射する。
【００１１】
このとき光ビームは、光ディスク８の内部で一旦集光されてから、当該光ディスク８の裏面側に配置された反射装置９によって反射され、当該光ディスク８の裏面側から光ディスク８の内部における同一焦点に集光される。因みに反射装置９は、集光レンズ９Ａ、シャッタ９Ｂ、集光レンズ９Ｃ及び反射ミラー９Ｄにより構成されている。
【００１２】
この結果、図２（Ａ）に示すように、光ビームの焦点位置に定在波が生じ、全体的に２つの円錐体を互いの底面同士で貼り合わせたような形状でなる、光スポットサイズの小さなホログラムでなる記録マークＲＭを形成する。かくしてこの記録マークＲＭが情報として記録される。
【００１３】
光ディスク装置１は、光ディスク８の内部にこの記録マークＲＭを複数記録する際、当該光ディスク８を回転させ各記録マークＲＭを同心円状又は螺旋状のトラックに沿って配置することにより一つのマーク記録層を形成し、さらに光ビームの焦点位置を調整することにより、マーク記録層を複数層重ねるように各記録マークＲＭを記録することができる。
【００１４】
これにより光ディスク８は、内部に複数のマーク記録層を有する多層構造となる。例えば光ディスク８は、図２（Ｂ）に示すように、記録マークＲＭ間の距離（マークピッチ）ｐ１が１．５［μｍ］、トラック間の距離（トラックピッチ）ｐ２が２［μｍ］、層間の距離ｐ３が２２．５［μｍ］となっている。
【００１５】
また光ディスク装置１は、記録マークＲＭが記録されたディスク８から情報を再生する場合、反射装置９のシャッタ９Ｂを閉じ、光ディスク８の裏面側から光ビームを照射しないようにする。
【００１６】
このとき光ディスク装置１は、光学ヘッド７によって光ディスク８中の記録マークＲＭへ光ビームを照射し、当該記録マークＲＭから発生する再生光ビームを当該光学ヘッド７へ入射させる。この再生光ビームは、１／４波長板６により円偏光から直線偏光に変換され、偏光ビームスプリッタ５により反射される。さらに再生光ビームは、集光レンズ１０により集光され、ピンホール１１を介してフォトディテクタ１２へ照射される。
【００１７】
光ディスク装置１は、このときフォトディテクタ１２により再生光ビームの光量を検出し、その検出結果を基に情報を再生する。
【００１８】
また図１と対応する部分に同一符号を附した図３に示す光ディスク装置１３のように、記録処理の際、光ビームを２つの光ビームに分離し、光ディスク８の両面側から当該２つの光ビームが重なるように照射するようになされたものが提案されている（特許文献１参照）。
【００１９】
この光ディスク装置１３では、レーザダイオード１４Ａから出射した光ビームをコリメータレンズ４によって平行光に変換し、ビームスプリッタ５Ａによって２つの光ビーム（第１光ビーム及び第２光ビーム）に分離する。
【００２０】
光ディスク装置１３は、ビームスプリッタ５Ａを透過した第１光ビームをビームスプリッタ５Ｂ及び５Ｃを介して対物レンズ７Ｂに入射する。対物レンズ７Ｂは、第１光ビームを集光して光ディスク８の第１面８Ａ側から光ディスク８に照射する。
【００２１】
このとき光ディスク装置１３は、光ディスク８における基板８Ｃ及び誘電体層８Ｄとの界面によって反射された第１光ビームの一部を対物レンズ７Ｂ、ビームスプリッタ５Ｃ及び５Ｂ、シリンドリカルレンズ１８を介してフォトディテクタ１２Ｂによって受光し、受光量に応じた検出信号をマトリックスアンプ１９によって増幅すると共に、増幅した検出信号に基づいてサーボ制御信号を生成する。
【００２２】
そして光ディスク装置１３は、サーボ制御信号に基づいてアクチュエータ７Ｂａを駆動することにより、対物レンズ７Ｂを変位させるようになされている。
【００２３】
一方光ディスク装置１３は、ビームスプリッタ５Ａによって反射された第２光ビームをミラー１５Ａ、１５Ｂ、１５Ｃ及び１５Ｄを介して凸レンズ７Ｃに入射する。凸レンズ７Ｃは、第２光ビームを集光して光ディスク８の第２面８Ｂ側から光ディスク８に入射する。
【００２４】
このとき光ディスク装置１３では、第１光ビーム及び第２光ビームが重なる部分（斜線で示す）が干渉してホログラムでなる記録マークＲＭを形成する。かくしてこの記録マークＲＭが記録層８Ｅに情報として記録される。
【００２５】
また光ディスク装置１３は、再生処理の際、第２光ビームの光路上に設置されたシャッタ１６によって第２光ビームを遮断すると共に、第１光ビームが光ディスク８に記録された記録マークＲＭによって反射されることにより生成される再生光ビームを対物レンズ７Ｂ、ビームスプリッタ５Ｃ、凹レンズ１７、集光レンズ１０及びピンホール板１１を介してフォトディテクタ１２Ａによって受光する。
【００２６】
光ディスク装置１は、このときフォトディテクタ１２により再生光ビームの光量を検出し、その検出結果を基に情報を再生するようになされている。
【非特許文献１】Y.Kasami, Y.Kuroda,K.Seo, O.Kawakubo, S.Takagawa, M.Ono, and M.Yamada, Jpn. J. Appl. Phys., 39,756(2000)
【非特許文献２】I.Ichimura etal, Technical Digest of ISOM’04, pp52, Oct.11-15, 2005, Jeju Korea
【非特許文献３】R. R. McLeod etal.,“Microholographicmultilayer optical disk data storage,” Appl. Opt., Vol. 44, 2005, pp3197
【特許文献１】特許第３４５２１０６号公報
【発明の開示】
【発明が解決しようとする課題】
【００２７】
ところで、上述した光ディスク装置１３では、第１光ビーム及び第２光ビームが重なった部分にのみホログラムが形成されるため、精密なサーボ制御によって当該第１光ビーム及び第２光ビームの焦点を正確に重ね合わせる必要があり、サーボ制御に多大な負荷がかかるという問題があった。
【００２８】
本発明は以上の点を考慮してなされたもので、サーボ制御の負荷を軽減し得る光情報記録装置、光ピックアップ、光情報記録方法及び光情報記録媒体を提案しようとするものである。
【課題を解決するための手段】
【００２９】
かかる課題を解決するため本発明では、光源から出射された光を第１及び第２の光に分離すると共に、光情報記録媒体の両面側から第１及び第２の光をそれぞれ照射し、光情報記録媒体の内部で当該第１及び第２の光を重複させることによりホログラムでなる記録マークを形成する光情報記録装置において、第１の光を集光して光情報記録媒体に照射する第１の集光部と、光情報記録媒体に対して近接又は離隔する深さ方向における記録マークを形成すべき目標深さ、及び光情報記録媒体の両面に平行な平行方向における記録マークを形成すべき目標トラックに、第１の光の焦点が位置するように第１の光の焦点を移動させる第１の焦点移動部と、光情報記録媒体に照射されるときの第１の光の光軸と輪郭部分とのなす第１の集光角よりも、光情報記録媒体に照射されるときの第２の光の光軸と最外周部分とのなす第２の集光角を小さくすることにより、第１の光の焦点における光束径よりも第２の光の焦点における光束径が大きくなるように第２の光を集光して光情報記録媒体に照射する第２の集光部と、第２の光の焦点を目標深さに合わせると共に、第２の光を目標トラックに照射するよう第２の光の焦点を移動させる第２の焦点移動部とを設けるようにした。
【００３０】
これにより、第２の光の焦点を正確に目標トラックに照射しなくても、第１の光に応じた大きさの記録マークを目標位置に形成することができる。
【００３１】
また本発明では、光源から出射された光を第１及び第２の光に分離すると共に、光情報記録媒体の両面側から第１及び第２の光をそれぞれ照射し、光情報記録媒体の内部で当該第１及び第２の光を重複させることによりホログラムでなる記録マークを形成する光ピックアップにおいて、第１の光を集光して光情報記録媒体に照射する第１の集光部と、光情報記録媒体に対して近接又は離隔する深さ方向における記録マークを形成すべき目標深さ、及び光情報記録媒体の両面に平行な平行方向における記録マークを形成すべき目標トラックに、第１の光の焦点が位置するように第１の光の焦点を移動させる第１の焦点移動部と、光情報記録媒体に照射されるときの第１の光の光軸と最外周部分とのなす第１の集光角よりも、光情報記録媒体に照射されるときの第２の光の光軸と最外周部分とのなす第２の集光角を小さくすることにより、第１の光の焦点における光束径よりも第２の光の焦点における光束径が大きくなるように第２の光を集光して光情報記録媒体に照射する第２の集光部と、第２の光の焦点を目標深さに合わせると共に、第２の光を目標トラックに照射するよう第２の光の焦点を移動させる第２の焦点移動部とを設けるようにした。
【００３２】
これにより、第２の光の焦点を正確に目標トラックに照射しなくても、第１の光に応じた大きさの記録マークを目標位置に形成することができる。
【００３３】
さらに本発明においては、光源から出射された光を第１及び第２の光に分離すると共に、光情報記録媒体の両面側から第１及び第２の光をそれぞれ照射し、光情報記録媒体の内部で当該第１及び第２の光を重複させることによりホログラムでなる記録マークを形成する方法において、第１の光を集光する光情報記録媒体に照射する際、光情報記録媒体に対して近接又は離隔する深さ方向における記録マークを形成すべき目標深さ、及び光情報記録媒体の両面に平行な平行方向における記録マークを形成すべき目標トラックに、第１の光の焦点が位置するように第１の光の焦点を移動させる第１の焦点移動ステップと、第２の光を集光して光情報記録媒体に照射する際、光情報記録媒体に照射されるときの第１の光の光軸と最外周部分とのなす第１の集光角よりも、光情報記録媒体に照射されるときの第２の光の光軸と最外周部分とのなす第２の集光角を小さくすることにより、第１の光の焦点における光束径よりも第２の光の焦点における光束径を大きくした状態で、第２の光の焦点を目標深さに合わせると共に、第２の光を目標トラックに照射するよう第２の光の焦点を移動させる第２の焦点移動ステップとを設けるようにした。
【００３４】
これにより、第２の光の焦点を正確に目標トラックに照射しなくても、第１の光に応じた大きさの記録マークを目標位置に形成することができる。
【００３５】
さらに本発明の光情報記録媒体においては、上記第１の光の焦点における光束径よりも焦点における光束径が大きく、上記第１の光と同一波長でなる上記第２の光が照射されたとき、上記第１及び第２の光が重複した部分に形成されるホログラムのうち、光強度の大きい明部分における屈折率を変化させて記録マークを記録する一方、上記第２の光における上記第１の光と重複しない非重複部分における屈折率を殆ど変化させない記録層を設けるようにした。
【００３６】
これにより、第２の光のみが照射された部位の屈折率を殆ど変化させないため、第１の光に応じた大きさの記録マークを目標位置に形成することができる。
【発明の効果】
【００３７】
本発明によれば、第１の光の焦点と第２の光の焦点とが多少ずれた場合であっても、第１の光に応じた大きさの記録マークを目標位置に形成することができ、かくしてサーボ制御の負荷を軽減し得る光情報記録装置、光ピックアップ及び光情報記録方法を実現できる。
【００３８】
また本発明によれば、第２の光の焦点を正確に目標トラックに照射しなくても、第１の光に応じた大きさの記録マークを目標位置に形成することができ、かくしてサーボ制御の負荷を軽減し得る光情報記録媒体を実現できる。
【発明を実施するための最良の形態】
【００３９】
以下、図面について、本発明の一実施の形態を詳述する。
【００４０】
（１）光ディスクの構成
まず、本発明において情報記録媒体として用いられる光ディスク１００について説明する。図４（Ａ）に外観図を示すように、光ディスク１００は、全体として従来のＣＤ、ＤＶＤ及びＢＤと同様に直径約１２０［ｍｍ］の円盤状に構成されており、中央部分に孔部１００Ｈが形成されている。
【００４１】
また光ディスク１００は、図４（Ｂ）に断面図を示すように、情報を記録するための記録層１０１を中心に有しており、基板１０２及び１０３により当該記録層１０１を両面から挟むように構成されている。
【００４２】
因みに記録層１０１の厚さｔ１は約０．３［ｍｍ］、基板１０２及び１０３の厚さｔ２及びｔ３はいずれも約０．６［ｍｍ］となるようになされている。
【００４３】
基板１０２及び１０３は、例えばポリカーボネイトやガラス等の材料により構成されており、いずれも一面から入射される光をその反対面へ高い透過率で透過させるようになされている。また基板１０２及び１０３は、ある程度の強度を有しており、記録層１０１を保護する役割も担うようになされている。なお基板１０２及び１０３の表面については、無反射コーティングにより不要な反射が防止されるようになされていても良い。
【００４４】
記録層１０１は、光ディスク８（図１）と同様、照射された光強度によって屈折率が変化するフォトポリマ等でなり、波長４０５［ｎｍ］でなる青色光ビームに反応するようになされている。図４（Ｂ）に示したように、比較的強い強度でなる２本の青色光ビームＬｂ１及びＬｂ２が記録層１０１内において干渉した場合、当該記録層１０１には定在波が生成されることになり、図２（Ａ）に示したようなホログラムとしての性質を有する干渉パターンが形成される。
【００４５】
また光ディスク１００は、記録層１０１と基板１０２との境界面に反射層としての反射透過膜１０４を有している。反射透過膜１０４は、誘電体多層膜等でなり、再生処理及び記録処理に使用される青色透過光領域１０４Ａ（詳しくは後述する）では、波長４０５［ｎｍ］でなる青色光ビームＬｂ１、Ｌｂ２及び青色再生光ビームＬｂ３を透過すると共に、波長６６０［ｎｍ］でなる赤色光ビームを反射するといった波長選択性を有している。
【００４６】
また反射透過膜１０４は、トラッキングサーボ用の案内溝を形成しており、具体的には、一般的なＢＤ−Ｒ（Recordable）ディスク等と同様のランド及びグルーブにより螺旋状のトラックを形成している。このトラックには、所定の記録単位ごとに一連の番号でなるアドレスが付されており、情報を記録又は再生するトラックを当該アドレスにより特定し得るようになされている。
【００４７】
なお反射透過膜１０４（すなわち記録層１０１と基板１０２との境界面）には、案内溝に代えてピット等が形成され、或いは案内溝とピット等とが組み合わされていても良い。
【００４８】
この反射透過膜１０４は、基板１０２側から赤色光ビームＬｒ１が照射された場合、これを当該基板１０２側へ反射する。以下、このとき反射された光ビームを赤色反射光ビームＬｒ２と呼ぶ。
【００４９】
この赤色反射光ビームＬｒ２は、例えば光ディスク装置において、目標とするトラック（以下目標トラックと呼ぶ）に対して、所定の対物レンズＯＬ１により集光された赤色光ビームＬｒ１の焦点Ｆｒを合わせるための、当該対物レンズＯＬ１の位置制御（すなわちフォーカス制御及びトラッキング制御）に用いられることが想定されている。
【００５０】
因みに以下では、光ディスク１００の基板１０２側の面を案内面１００Ａと呼び、当該光ディスク１００の基板１０３側の面を記録光照射面１００Ｂと呼ぶ。
【００５１】
実際上、光ディスク１００に情報が記録されるとき、図４（Ｂ）に示したように、位置制御された対物レンズＯＬ１により赤色光ビームＬｒ１が集光され、反射透過膜１０４の目標とするトラック（以下、これを目標トラックと呼ぶ）に合焦される。
【００５２】
また、当該赤色光ビームＬｒ１と光軸Ｌｘを共有し当該対物レンズＯＬ１により集光された青色光ビームＬｂ１が、基板１０２及び反射透過膜１０４を透過し、記録層１０１内における当該所望トラックの裏側（すなわち基板１０２側）に相当する位置に合焦される。このとき青色光ビームＬｂ１の焦点Ｆｂ１は、対物レンズＯＬ１を基準として、共通の光軸Ｌｘ上における焦点Ｆｒよりも遠方に位置することになる。
【００５３】
さらに、青色光ビームＬｂ１と同一波長でなり光軸Ｌｘを共有する青色光ビームＬｂ２が、当該青色光ビームＬｂ１の反対側（すなわち基板１０３側）から、対物レンズＯＬ１と同等の光学特性を有する対物レンズＯＬ２により集光され、照射されるようになされている。このとき当該青色光ビームＬｂ２の焦点Ｆｂ２は、当該対物レンズＯＬ２が位置制御されることにより、青色光ビームＬｂ１の焦点Ｆｂ１と同一の位置となるようになされている。
【００５４】
この結果、光ディスク１００には、記録層１０１内における目標トラックの裏側に相当する焦点Ｆｂ１及びＦｂ２の位置に、比較的小さい干渉パターンでなる記録マークＲＭが記録される。
【００５５】
このとき記録層１０１内には、いずれも収束光でなる青色光ビームＬｂ１及びＬｂ２が重なり、且つ所定強度以上となった部分に記録マークＲＭが形成される。このため記録マークＲＭは、図２（Ａ）に示したように、全体的に２つの円錐体を互いの底面同士で貼り合わせたような形状となり、中央部（底面同士を貼り合わせた部分）が僅かにくびれている。
【００５６】
因みに、記録マークＲＭに関して、中央部におけるくびれ部分の直径ＲＭｒについては、青色光ビームＬｂ１に応じて決定され（詳しくは後述する）、青色光ビームＬｂ１の波長をλ［ｍ］、対物レンズＯＬ１の開口数をＮＡとすると、次に示す（１）式により求められる。
【００５７】
【数１】
2009008938.tif 000003
【００５８】
また記録マークＲＭの高さＲＭｈに関しては、対物レンズＯＬ１の屈折率をｎとすると、次に示す（２）式により求められる。
【００５９】
【数２】
2009008938.tif 000004
【００６０】
例えば、波長λを４０５［ｎｍ］、開口数ＮＡを０．５、屈折率ｎを１．５とすると、（１）式より直径ＲＭｒ＝０．９７［μｍ］、（２）式より高さＲＭｈ＝９．７２［μｍ］となる。
【００６１】
さらに光ディスク１００は、記録層１０１の厚さｔ１（＝０．３［ｍｍ］）が記録マークＲＭの高さＲＭｈよりも充分に大きくなるよう設計されている。このため光ディスク１００は、記録層１０１内における記録反射膜１０４からの距離（以下、これを深さと呼ぶ）が切り換えられながら記録マークＲＭが記録されることにより、図２（Ｂ）に示したような、複数のマーク記録層を当該光ディスク１００の厚さ方向に重ねた多層記録を行い得るようになされている。
【００６２】
この場合、光ディスク１００の記録層１０１内において、青色光ビームＬｂ１及びＬｂ２の焦点Ｆｂ１及びＦｂ２の深さが調整されることにより、記録マークＲＭの深さが変更されることになる。例えば光ディスク１００は、記録マークＲＭ同士の相互干渉等を考慮してマーク記録層同士の距離ｐ３が約１５［μｍ］に設定されれば、記録層１０１内に約２０層のマーク記録層を形成することができる。なお距離ｐ３については、約１５［μｍ］とする以外にも、記録マークＲＭ同士の相互干渉等を考慮した上で他の種々の値としても良い。
【００６３】
一方、光ディスク１００は、情報が再生されるとき、当該情報を記録したときと同様に、対物レンズＯＬ１により集光された赤色光ビームＬｒ１が反射透過膜１０４の目標トラックに合焦されるよう、当該対物レンズＯＬ１が位置制御されるようになされている。
【００６４】
さらに光ディスク１００は、同一の対物レンズＯＬ１を介し基板１０２及び反射透過膜１０４を透過した青色光ビームＬｂ１の焦点Ｆｂ１が、記録層１０１内における当該目標トラックの「裏側」に相当し、かつ目標深さとなる位置（以下、これを目標マーク位置と呼ぶ）に合焦されるようになされている。
【００６５】
このとき焦点Ｆｂ１の位置に記録されている記録マークＲＭは、ホログラムとしての性質により、当該目標マーク位置に記録されている記録マークＲＭから、青色再生光ビームＬｂ３を発生する。この青色再生光ビームＬｂ３は、記録マークＲＭの記録時に照射された青色光ビームＬｂ２と同等の光学特性を有しており、当該青色光ビームＬｂ２と同じ方向へ、すなわち記録層１０１内から基板１０２側へ発散しながら進むことになる。
【００６６】
このように光ディスク１００は、情報が記録される場合、位置制御用の赤色光ビームＬｒ１、情報記録用の青色光ビームＬｂ１及びＬｂ２が用いられることにより、記録層１０１内において焦点Ｆｂ１及びＦｂ２が重なる位置、すなわち反射透過膜１０４における目標トラックの裏側となり且つ目標深さとなる目標マーク位置に、当該情報として記録マークＲＭが形成されるようになされている。
【００６７】
また光ディスク１００は、記録済みの情報が再生される場合、位置制御用の赤色光ビームＬｒ１及び情報再生用の青色光ビームＬｂ１が用いられることにより、焦点Ｆｂ１の位置、すなわち目標マーク位置に記録されている記録マークＲＭから、青色再生光ビームＬｂ３を発生させるようになされている。
【００６８】
（２）光ディスク装置の構成
次に、上述した光ディスク１００に対応した光ディスク装置２０について説明する。光ディスク装置２０は、図５に示すように、制御部２１により全体を統括制御するようになされている。
【００６９】
制御部２１は、図示しないＣＰＵ（Central Processing Unit）を中心に構成されており、図示しないＲＯＭ（Read Only Memory）から基本プログラムや情報記録プログラム、焦点深さ調整プログラム等の各種プログラムを読み出し、これらを図示しないＲＡＭ（Random Access Memory）に展開することにより、情報記録処理等の各種処理を実行するようになされている。
【００７０】
例えば制御部２１は、光ディスク１００が装填された状態で、図示しない外部機器等から情報記録命令、記録情報及び記録アドレス情報を受け付けると、駆動命令及び記録アドレス情報を駆動制御部２２へ供給すると共に、記録情報を信号処理部２３へ供給する。因みに記録アドレス情報は、光ディスク１００の記録層１０１に付されたアドレスのうち、記録情報を記録すべきアドレスを示す情報である。
【００７１】
駆動制御部２２は、駆動命令に従い、スピンドルモータ２４を駆動制御することにより光ディスク１００を所定の回転速度で回転させると共に、スレッドモータ２５を駆動制御することにより、光ピックアップ２６を移動軸２５Ａ及び２５Ｂに沿って光ディスク１００の径方向（すなわち内周方向又は外周方向）における記録アドレス情報に対応した位置へ移動させる。
【００７２】
信号処理部２３は、供給された記録情報に対して所定の符号化処理や変調処理等の各種信号処理を施すことにより記録信号を生成し、これを光ピックアップ２６へ供給する。
【００７３】
光ピックアップ２６は、図６に示すように、側面略コ字状に構成されており、図４（Ｂ）に示したように、光ディスク１００に対して両面から焦点を合わせて光ビームを照射し得るようになされている。
【００７４】
光ピックアップ２６は、駆動制御部２２（図５）の制御に基づいてフォーカス制御及びトラッキング制御を行うことにより、光ディスク１００の記録層１０１における記録アドレス情報により示されるトラック（以下、これを目標トラックと呼ぶ）に光ビームの照射位置を合わせ、信号処理部２３からの記録信号に応じた記録マークＲＭを記録するようになされている（詳しくは後述する）。
【００７５】
また制御部２１は、例えば外部機器（図示せず）から情報再生命令及び当該記録情報のアドレスを示す再生アドレス情報を受け付けると、駆動制御部２２に対して駆動命令を供給すると共に、再生処理命令を信号処理部２３へ供給する。
【００７６】
駆動制御部２２は、情報を記録する場合と同様、スピンドルモータ２４を駆動制御することにより光ディスク１００を所定の回転速度で回転させると共に、スレッドモータ２５を駆動制御することにより光ピックアップ２６を再生アドレス情報に対応した位置へ移動させる。
【００７７】
光ピックアップ２６は、駆動制御部２２（図５）の制御に基づいてフォーカス制御及びトラッキング制御を行うことにより、光ディスク１００の記録層１０１における再生アドレス情報により示されるトラック（すなわち目標トラック）に光ビームの照射位置を合わせ、所定光量の光ビームを照射する。このとき光ピックアップ２６は、光ディスク１００における記録層１０１の記録マークＲＭから発生される再生光ビームを検出し、その光量に応じた検出信号を信号処理部２３へ供給するようになされている（詳しくは後述する）。
【００７８】
信号処理部２３は、供給された検出信号に対して所定の復調処理や復号化処理等の各種信号処理を施すことにより再生情報を生成し、この再生情報を制御部２１へ供給する。これに応じて制御部２１は、この再生情報を外部機器（図示せず）へ送出するようになされている。
【００７９】
このように光ディスク装置２０は、制御部２１によって光ピックアップ２６を制御することにより、光ディスク１００の記録層１０１における目標トラックに情報を記録し、また当該目標トラックから情報を再生するようになされている。
【００８０】
（３）光ピックアップの構成
次に、光ピックアップ２６の構成について説明する。図７に模式的に示すように、光ピックアップ２６は、多数の光学部品が設けられており、大きく分けて案内面位置制御光学系３０、案内面情報光学系５０及び記録光照射面光学系７０により構成されている。
【００８１】
（３−１）案内面赤色光学系の構成
案内面位置制御光学系３０は、光ディスク１００の案内面１００Ａに対して赤色光ビームＬｒ１を照射し、当該光ディスク１００により当該赤色光ビームＬｒ１が反射されてなる赤色反射光ビームＬｒ２を受光するようになされている。
【００８２】
図８において案内面位置制御光学系３０のレーザダイオード３１は、波長約６６０［ｎｍ］の赤色レーザ光を発射し得るようになされている。実際上レーザダイオード３１は、制御部２１（図５）の制御に基づいて発散光でなる所定光量の赤色光ビームＬｒ１を発射し、コリメータレンズ３２へ入射させる。コリメータレンズ３２は、赤色光ビームＬｒ１を発散光から平行光に変換しスリット３３を介して無偏光ビームスプリッタ３４へ入射させる。
【００８３】
無偏光ビームスプリッタ３４は、赤色光ビームＬｒ１を反射透過面３４Ａにおいて約５０％の割合で透過し、補正レンズ３５へ入射させる。補正レンズ３５及び３６は、赤色光ビームＬｒ１を一度発散させてから収束させ、ダイクロックプリズム３７へ入射させる。
【００８４】
ダイクロックプリズム３７の反射透過面３７Ｓは、光ビームの波長により透過率及び反射率が異なる、いわゆる波長選択性を有しており、赤色光ビームをほぼ１００％の割合で透過し、青色光ビームをほぼ１００％の割合で反射するようになされている。このためダイクロックプリズム３７は、当該反射透過面３７Ｓにおいて赤色光ビームＬｒ１を透過し、第１対物レンズ３８へ入射させる。
【００８５】
第１対物レンズ３８は、赤色光ビームＬｒ１を集光し、光ディスク１００の案内面１００Ａへ向けて照射する。このとき赤色光ビームＬｒ１は、図４（Ｂ）に示したように、基板１０２を透過し反射透過膜１０４において反射され、赤色光ビームＬｒ１と反対方向へ向かう赤色反射光ビームＬｒ２となる。
【００８６】
因みに第１対物レンズ３８は、青色光ビームＬｂ１に最適化されて設計されており、赤色光ビームＬｒ１に関しては、スリット３３、補正レンズ３５及び３６との光学的な距離等の関係により、開口数（ＮＡ：Numerical Aperture）が０．４１の集光レンズとして作用することになる。
【００８７】
この後、赤色反射光ビームＬｒ２は、第１対物レンズ３８、ダイクロックプリズム３７、補正レンズ３６及び３５を順次透過して平行光にされた後、無偏光ビームスプリッタ３４へ入射される。
【００８８】
無偏光ビームスプリッタ３４は、赤色反射光ビームＬｒ２を約５０％の割合で反射することによりミラー４０へ照射し、当該ミラー４０により当該赤色反射光ビームＬｒ２を再度反射させた後、集光レンズ４１へ入射させる。
【００８９】
集光レンズ４１は、赤色反射光ビームＬｒ２を収束させ、シリンドリカルレンズ４２により非点収差を持たせた上で当該赤色反射光ビームＬｒ２をフォトディテクタ４３へ照射する。
【００９０】
ところで光ディスク装置２０では、回転する光ディスク１００における面ブレ等が発生する可能性があるため、案内面位置制御光学系３０に対する目標トラックの相対的な位置が変動する可能性がある。
【００９１】
このため、案内面位置制御光学系３０において赤色光ビームＬｒ１の焦点Ｆｒ（図４（Ｂ））を目標トラックに追従させるには、当該焦点Ｆｒを光ディスク１００に対する近接方向又は離隔方向であるフォーカス方向及び光ディスク１００の内周側方向又は外周側方向であるトラッキング方向へ移動させる必要がある。
【００９２】
そこで第１対物レンズ３８は、２軸アクチュエータ３８Ａにより、フォーカス方向及びトラッキング方向の２軸方向へ駆動され得るようになされている。
【００９３】
また案内面位置制御光学系３０（図８）では、第１対物レンズ３８により赤色光ビームＬｒ１が集光され光ディスク１００の反射透過膜１０４へ照射されるときの合焦状態が、集光レンズ４１により赤色反射光ビームＬｒ２が集光されフォトディテクタ４３に照射されるときの合焦状態に反映されるよう、各種光学部品の光学的位置が調整されている。
【００９４】
フォトディテクタ４３は、図９に示すように、赤色反射光ビームＬｒ２が照射される面上に、格子状に分割された４つの検出領域４３Ａ、４３Ｂ、４３Ｃ及び４３Ｄを有している。因みに矢印ａ１により示される方向（図中の縦方向）は、赤色光ビームＬｒ１が反射透過膜１０４（図４）に照射されるときの、トラックの走行方向に対応している。
【００９５】
フォトディテクタ４３は、検出領域４３Ａ、４３Ｂ、４３Ｃ及び４３Ｄにより赤色反射光ビームＬｒ２の一部をそれぞれ検出し、このとき検出した光量に応じて検出信号ＳＤＡｒ、ＳＤＢｒ、ＳＤＣｒ及びＳＤＤｒをそれぞれ生成して、これらを信号処理部２３（図５）へ送出する。
【００９６】
信号処理部２３は、いわゆる非点収差法によるフォーカス制御を行うようになされており、次に示す（３）式に従ってフォーカスエラー信号ＳＦＥｒを算出し、これを駆動制御部２２へ供給する。
【００９７】
【数３】
2009008938.tif 000005
【００９８】
このフォーカスエラー信号ＳＦＥｒは、赤色光ビームＬｒ１の焦点Ｆｒと光ディスク１００の反射透過膜１０４とのずれ量を表すことになる。
【００９９】
また信号処理部２３は、いわゆるプッシュプル法によるトラッキング制御を行うようになされており、次に示す（４）式に従ってトラッキングエラー信号ＳＴＥｒを算出し、これを駆動制御部２２へ供給する。
【０１００】
【数４】
2009008938.tif 000006
【０１０１】
このトラッキングエラー信号ＳＴＥｒは、赤色光ビームＬｒ１の焦点Ｆｒと光ディスク１００の反射透過膜１０４における目標トラックとのずれ量を表すことになる。
【０１０２】
駆動制御部２２は、フォーカスエラー信号ＳＦＥｒを基にフォーカス駆動信号ＳＦＤｒを生成し、当該フォーカス駆動信号ＳＦＤｒを２軸アクチュエータ３８Ａへ供給することにより、赤色光ビームＬｒ１が光ディスク１００の反射透過膜１０４に合焦するよう、第１対物レンズ３８をフィードバック制御（すなわちフォーカス制御）する。
【０１０３】
また駆動制御部２２は、トラッキングエラー信号ＳＴＥｒを基にトラッキング駆動信号ＳＴＤｒを生成し、当該トラッキング駆動信号ＳＴＤｒを２軸アクチュエータ３８Ａへ供給することにより、赤色光ビームＬｒ１が光ディスク１００の反射透過膜１０４における目標トラックに合焦するよう、第１対物レンズ３８をフィードバック制御（すなわちトラッキング制御）する。
【０１０４】
このように案内面位置制御光学系３０は、赤色光ビームＬｒ１を光ディスク１００の反射透過膜１０４に照射し、その反射光である赤色反射光ビームＬｒ２の受光結果を信号処理部２３へ供給するようになされている。これに応じて駆動制御部２２は、当該赤色光ビームＬｒ１を当該反射透過膜１０４の目標トラックに合焦させるよう、第１対物レンズ３８のフォーカス制御及びトラッキング制御を行うようになされている。
【０１０５】
（３−２）案内面青色光学系の構成
案内面情報光学系５０は、光ディスク１００の案内面１００Ａに対して青色光ビームＬｂ１を照射するようになされており、また当該光ディスク１００から入射される青色光ビームＬｂ２又は青色再生光ビームＬｂ３を受光するようになされている。
【０１０６】
（３−２−１）青色光ビームの照射
図１０において案内面情報光学系５０のレーザダイオード５１は、波長約４０５［ｎｍ］の青色レーザ光を発射し得るようになされている。実際上レーザダイオード５１は、制御部２１（図５）の制御に基づいて発散光でなる青色光ビームＬｂ０を発射し、コリメータレンズ５２へ入射させる。コリメータレンズ５２は、青色光ビームＬｂ０を発散光から平行光に変換し、１／２波長板５３へ入射させる。
【０１０７】
このとき青色光ビームＬｂ０は、１／２波長板５３により偏光方向が所定角度回転されることにより、ｐ偏光とｓ偏光の割合が調整され、さらにアナモプリズム５４により強度分布が成形された後、偏光ビームスプリッタ５５の面５５Ａに入射される。
【０１０８】
偏光ビームスプリッタ５５は、反射透過面５５Ｓにおいて、光ビームの偏光方向により異なる割合で当該光ビームを反射又は透過するようになされている。例えば反射透過面５５Ｓは、ｐ偏光の光ビームを約５０％の割合で反射すると共に残りの５０％を透過し、ｓ偏光の光ビームを約１００％の割合で透過するようになされている。
【０１０９】
実際上、偏光ビームスプリッタ５５は、反射透過面５５Ｓにより、ｐ偏光でなる青色光ビームＬｂ０を約５０％の割合で反射し、面５５Ｂから１／４波長板５６へ入射させると共に、残りの５０％を透過し、面５５Ｄからシャッタ７１へ入射させる。以下では、反射透過面５５Ｓにより反射された青色光ビームを青色光ビームＬｂ１、反射透過面５５Ｓを透過した青色光ビームを青色光ビームＬｂ２と呼ぶ。
【０１１０】
１／４波長板５６は、青色光ビームＬｂ１を直線偏光から円偏光に変換して可動ミラー５７へ照射し、また当該可動ミラー５７により反射され青色光ビームＬｂ１を円偏光から直線偏光に変換し、再度偏光ビームスプリッタ５５の面５５Ｂへ入射させる。
【０１１１】
このとき青色光ビームＬｂ１は、例えば１／４波長板５６によりｐ偏光から左円偏光に変換され、可動ミラー５７により反射された際に左円偏光から右円偏光に変換された後、再度１／４波長板５６により右円偏光からｓ偏光に変換される。すなわち青色光ビームＬｂ１は、面５５Ｂから出射されたときと可動ミラー５７により反射された後に当該面５５Ｂに入射されるときとで、互いの偏光方向が異なることになる。
【０１１２】
偏光ビームスプリッタ５５は、面５５Ｂから入射された青色光ビームＬｂ１の偏光方向（ｓ偏光）に応じて、反射透過面５５Ｓにより当該青色光ビームＬｂ１をそのまま透過させ、面５５Ｃから偏光ビームスプリッタ５８へ入射させるようになされている。
【０１１３】
この結果、案内面情報光学系５０は、偏光ビームスプリッタ５５、１／４波長板５６及び可動ミラー５７により、青色光ビームＬｂ１の光路長を引き延ばすことになる。
【０１１４】
偏光ビームスプリッタ５８の反射透過面５５Ｓは、例えばｐ偏光の光ビームを約１００％の割合で反射し、ｓ偏光の光ビームを約１００％の割合で透過するようになされている。実際上、偏光ビームスプリッタ５８は、反射透過面５８Ｓにおいて青色光ビームＬｂ１をそのまま透過させ、１／４波長板５９により直線偏光（ｓ偏光）から円偏光（右円偏光）に変換させた上で、リレーレンズ６０へ入射させる。
【０１１５】
リレーレンズ６０は、可動レンズ６１により青色光ビームＬｂ１を平行光から収束光に変換し、収束後に発散光となった当該青色光ビームＬｂ１を固定レンズ６２により再度収束光に変換し、ダイクロックプリズム３７へ入射させる。
【０１１６】
ここで可動レンズ６１は、アクチュエータ６１Ａにより青色光ビームＬｂ１の光軸方向に移動されるようになされている。実際上、リレーレンズ６０は、制御部２１（図５）の制御に基づきアクチュエータ６１Ａによって可動レンズ６１を移動させることにより、固定レンズ６２から出射される青色光ビームＬｂ１の収束状態を変化させ得るようになされている。
【０１１７】
ダイクロックプリズム３７は、青色光ビームＬｂ１の波長に応じて、反射透過面３７Ｓにより当該青色光ビームＬｂ１を反射し、これを第１対物レンズ３８へ入射させる。因みに青色光ビームＬｂ１は、反射透過面３７Ｓにおいて反射されるときに円偏光における偏光方向が反転され、例えば右円偏光から左円偏光に変換される。
【０１１８】
第１対物レンズ３８は、青色光ビームＬｂ１を集光し、光ディスク１００の案内面１００Ａへ照射する。因みに第１対物レンズ３８は、青色光ビームＬｂ１に関しては、リレーレンズ６０との光学的な距離等の関係により、開口数（ＮＡ）が０．５の集光レンズとして作用することになる。
【０１１９】
このとき青色光ビームＬｂ１は、図４（Ｂ）に示したように、基板１０２及び反射透過膜１０４を透過し、記録層１０１内に合焦する。ここで当該青色光ビームＬｂ１の焦点Ｆｂ１の位置は、リレーレンズ６０の固定レンズ６２から出射される際の収束状態により定められることになる。すなわち焦点Ｆｂ１は、可動レンズ６１の位置に応じて記録層１０１内の案内面１００Ａ側又は記録光照射面１００Ｂ側へ移動することになる。
【０１２０】
実際上、案内面情報光学系５０は、制御部２１（図５）により可動レンズ６１の位置が制御されることにより、光ディスク１００の記録層１０１内における青色光ビームＬｂ１の焦点Ｆｂ１（図４（Ｂ））の深さｄ１（すなわち反射透過膜１０４からの距離）を調整するようになされている。なお、この青色光ビームＬｂ１の焦点Ｆｂ１に対する調整方法については、後述する。
【０１２１】
青色光ビームＬｂ１は、焦点Ｆｂ１に収束した後に発散光となり、記録層１０１及び基板１０３を透過し、記録光照射面１００Ｂから出射されて、第２対物レンズ７９へ入射される（詳しくは後述する）。
【０１２２】
このように案内面情報光学系５０は、青色光ビームＬｂ１を光ディスク１００の案内面１００Ａ側から照射して記録層１０１内に当該青色光ビームＬｂ１の焦点Ｆｂ１を位置させ、さらにリレーレンズ６０における可動レンズ６１の位置に応じて、当該焦点Ｆｂ１の深さｄ１を調整するようになされている。
【０１２３】
（３−２−２）青色光ビームの受光
ところで光ディスク１００は、記録光照射面光学系７０の第２対物レンズ７９から記録光照射面１００Ｂへ照射される青色光ビームＬｂ２を透過し、案内面１００Ａから発散光として出射するようになされている（詳しくは後述する）。因みに青色光ビームＬｂ２は、円偏光（例えば右円偏光）となるようになされている。
【０１２４】
このとき案内面情報光学系５０では、図１１に示すように、青色光ビームＬｂ２が第１対物レンズ３８によりある程度収束された後、ダイクロックプリズム３７により反射され、リレーレンズ６０へ入射される。因みに青色光ビームＬｂ２は、反射透過面３７Ｓにおいて反射される際、円偏光における偏光方向が反転され、例えば右円偏光から左円偏光に変換される。
【０１２５】
続いて青色光ビームＬｂ２は、リレーレンズ６０の固定レンズ６２及び可動レンズ６１によって平行光に変換され、さらに１／４波長板５９により円偏光（左円偏光）から直線偏光（ｐ偏光）に変換された上で、偏光ビームスプリッタ５８へ入射される。
【０１２６】
偏光ビームスプリッタ５８は、青色光ビームＬｂ２の偏光方向に応じて当該青色光ビームＬｂ２を反射し、集光レンズ６３へ入射させる。集光レンズ６３は、青色光ビームＬｂ２を集光し、非点収差を発生させるシリンドリカルレンズ６４を介してフォトディテクタ６５へ照射させる。
【０１２７】
因みに、案内面情報光学系５０内の各光学部品は、青色光ビームＬｂ２がフォトディテクタ６５に合焦するよう配置されている。
【０１２８】
フォトディテクタ６５は、青色光ビームＬｂ２の光量を検出し、このとき検出した光量に応じて再生検出信号ＳＤｐを生成し、これを信号処理部２３（図５）へ供給する。
【０１２９】
但し、このとき当該フォトディテクタ６５において青色光ビームＬｂ２の光量に応じて生成される再生検出信号ＳＤｐには、特に用途がない。このため信号処理部２３（図５）は、当該再生検出信号ＳＤｐが供給されるものの、特に信号処理を行わないようになされている。
【０１３０】
一方、光ディスク１００は、記録層１０１に記録マークＲＭが記録されていた場合、上述したように、青色光ビームＬｂ１の焦点Ｆｂ１が当該記録マークＲＭに合焦されると、ホログラムとしての性質により、当該記録マークＲＭから青色再生光ビームＬｂ３を発生することになる。
【０１３１】
この青色再生光ビームＬｂ３は、ホログラムの原理上、当該記録マークＲＭが記録された際に青色光ビームＬｂ１の他に照射されていた光ビーム、すなわち青色光ビームＬｂ２を再現したものとなる。従って青色再生光ビームＬｂ３は、案内面情報光学系５０内において青色光ビームＬｂ２と同様の光路を経ることにより、最終的にフォトディテクタ６５へ照射される。
【０１３２】
ここで案内面情報光学系５０内の各光学部品は、上述したように、青色光ビームＬｂ２がフォトディテクタ６５に合焦するよう配置されている。このため青色再生光ビームＬｂ３は、当該青色光ビームＬｂ２と同様に当該フォトディテクタ６５に合焦する。
【０１３３】
フォトディテクタ６５は、青色光ビームＬｂ３の光量を検出し、このとき検出した光量に応じて再生検出信号ＳＤｐを生成し、これを信号処理部２３（図５）へ供給する。
【０１３４】
この場合、再生検出信号ＳＤｐは、光ディスク１００に記録されている情報を表すものとなる。このため信号処理部２３は、再生検出信号ＳＤｐに対して所定の復調処理や復号化処理等を施すことにより再生情報を生成し、この再生情報を制御部２１へ供給するようになされている。
【０１３５】
このように案内面情報光学系５０は、光ディスク１００の案内面１００Ａから第１対物レンズ３８へ入射される青色光ビームＬｂ２又は青色再生光ビームＬｂ３を受光し、その受光結果を信号処理部２３へ供給するようになされている。
【０１３６】
（３−３）記録光照射面光学系の構成
記録光照射面光学系７０（図７）は、光ディスク１００の記録光照射面１００Ｂに対して青色光ビームＬｂ２を照射するようになされており、また案内面情報光学系５０から照射され光ディスク１００を透過した青色光ビームＬｂ１を受光するようになされている。
【０１３７】
（３−３−１）青色光ビームの照射
図１１において案内面情報光学系５０の偏光ビームスプリッタ５５は、上述したように、反射透過面５５Ｓにおいてｐ偏光でなる青色光ビームＬｂ０を約５０％の割合で透過し、これを青色光ビームＬｂ２として面５５Ｄからシャッタ７１へ入射させる。
【０１３８】
シャッタ７１は、制御部２１（図５）の制御に基づいて青色光ビームＬｂ２を遮断又は透過するようになされており、当該青色光ビームＬｂ２を透過した場合、偏光ビームスプリッタ７２へ入射させる。
【０１３９】
因みにシャッタ７１としては、例えば青色光ビームＬｂ２を遮断する遮断板を機械的に動かすことにより青色光ビームＬｂ２を遮断又は透過する機械式シャッタや、液晶パネルに印加する電圧を変化することにより当該青色光ビームＬｂ２を遮断又は透過する液晶シャッタ等を用いることができる。
【０１４０】
偏光ビームスプリッタ７２の反射透過面７２Ｓは、例えばｐ偏光の光ビームを約１００％の割合で透過し、ｓ偏光の光ビームを約１００％の割合で反射するようになされている。実際上、偏光ビームスプリッタ７２は、ｐ偏光でなる青色光ビームＬｂ２をそのまま透過させ、ミラー７３により反射させた後、１／４波長板７４により直線偏光（ｐ偏光）から円偏光（左円偏光）に変換させた上で、リレーレンズ７５へ入射させる。
【０１４１】
リレーレンズ７５は、リレーレンズ６０と同様に構成されており、可動レンズ６１、アクチュエータ６１Ａ及び固定レンズ６２とそれぞれ対応する可動レンズ７６、アクチュエータ７６Ａ及び固定レンズ７７を有している。
【０１４２】
リレーレンズ７５は、可動レンズ７６により青色光ビームＬｂ２を平行光から収束光に変換し、収束後に発散光となった当該青色光ビームＬｂ２を固定レンズ７７により再度収束光に変換し、ガルバノミラー７８へ入射させる。
【０１４３】
またリレーレンズ７５は、リレーレンズ６０と同様、制御部２１（図５）の制御に基づきアクチュエータ７６Ａによって可動レンズ７６を移動させることにより、固定レンズ７７から出射される青色光ビームＬｂ２の収束状態を変化させ得るようになされている。
【０１４４】
ガルバノミラー７８は、青色光ビームＬｂ２を反射し、第２対物レンズ７９へ入射させる。因みに青色光ビームＬｂ２は、反射されるときに円偏光における偏光方向が反転され、例えば左円偏光から右円偏光に変換される。
【０１４５】
またガルバノミラー７８は、反射面７８Ａの角度を変化し得るようになされており、制御部２１（図５）の制御に従い反射面７８Ａの角度を調整することにより、青色光ビームＬｂ２の進行方向を調整し得るようになされている。
【０１４６】
第２対物レンズ７９は、２軸アクチュエータ７９Ａと一体に構成されており、当該２軸アクチュエータ７９Ａにより、第１対物レンズ３８と同様、光ディスク１００への近接方向又は離隔方向であるフォーカス方向と、光ディスク１００の内周側方向又は外周側方向であるトラッキング方向との２軸方向へ駆動され得るようになされている。
【０１４７】
この第２対物レンズ７９は、青色光ビームＬｂ２を集光し、光ディスク１００の記録光照射面１００Ｂへ照射する。なお、第２対物レンズ７９の構成については後述する。
【０１４８】
このとき青色光ビームＬｂ２は、図４（Ｂ）に示したように、基板１０３を透過して記録層１０１内に合焦する。ここで当該青色光ビームＬｂ２の焦点Ｆｂ２の位置は、リレーレンズ７５の固定レンズ７７から出射される際の収束状態により定められることになる。すなわち当該焦点Ｆｂ２は、青色光ビームＬｂ１の焦点Ｆｂ１と同様、可動レンズ７６の位置に応じて記録層１０１内の案内面１００Ａ側又は記録光照射面１００Ｂ側へ移動することになる。
【０１４９】
具体的に記録光照射面光学系７０は、案内面情報光学系５０と同様、可動レンズ７６の移動距離と青色光ビームＬｂ２の焦点Ｆｂ２の移動距離とがほぼ比例関係となるように設計されており、例えば可動レンズ７６を１［ｍｍ］移動させると、青色光ビームＬｂ２の焦点Ｆｂ２が３０［μｍ］移動するようになされている。
【０１５０】
実際上、記録光照射面光学系７０は、制御部２１（図５）によってリレーレンズ６０における可動レンズ６１の位置と共にリレーレンズ７５における可動レンズ７６の位置が制御されることにより、光ディスク１００の記録層１０１内における青色光ビームＬｂ２の焦点Ｆｂ２（図４（Ｂ））の深さｄ２を調整するようになされている。
【０１５１】
このとき光ディスク装置２０では、制御部２１（図５）により、光ディスク１００に面ブレ等が発生していないと仮定したときの（すなわち理想的な状態の）記録層１０１内における、第１対物レンズ３８が基準位置にあるときの青色光ビームＬｂ１の焦点Ｆｂ１に対して、第２対物レンズ７９が基準位置にあるときの青色光ビームＬｂ２の焦点Ｆｂ２を合わせるようになされている。
【０１５２】
青色光ビームＬｂ２は、焦点Ｆｂ２において合焦した後、発散しながら記録層１０１、反射透過膜１０４及び基板１０２を透過し、案内面１００Ａから出射されて、第１対物レンズ３８へ入射されるようになされている。
【０１５３】
このように記録光照射面光学系７０は、青色光ビームＬｂ２を光ディスク１００の記録光照射面１００Ｂ側から照射して記録層１０１内に当該青色光ビームＬｂ２の焦点Ｆｂ２を位置させ、さらにリレーレンズ７５における可動レンズ７６の位置に応じて、当該焦点Ｆｂ２の深さｄ２を調整するようになされている。
【０１５４】
（３−３−２）青色光ビームの受光
ところで、案内面情報光学系５０（図１０）の第１対物レンズ３８から照射された青色光ビームＬｂ１は、上述したように、光ディスク１００の記録層１０１内において一度収束した後、発散光となり第２対物レンズ７９へ入射される。
【０１５５】
このとき記録光照射面光学系７０では、青色光ビームＬｂ１が第２対物レンズ７９によりある程度収束された後、ガルバノミラー７８により反射されて、リレーレンズ７５へ入射される。因みに青色光ビームＬｂ１は、反射面７８Ｓにおいて反射される際、円偏光における偏光方向が反転され、例えば左円偏光から右円偏光に変換される。
【０１５６】
続いて青色光ビームＬｂ１は、リレーレンズ７５の固定レンズ６２及び可動レンズ６１によって平行光に変換され、さらに１／４波長板７４により円偏光（右円偏光）から直線偏光（ｓ偏光）に変換された後、ミラー７３により反射されてから、偏光ビームスプリッタ７２へ入射される。
【０１５７】
偏光ビームスプリッタ７２は、青色光ビームＬｂ１の偏光方向に応じて当該青色光ビームＬｂ１を反射し、集光レンズ８０へ入射させる。集光レンズ８０は、青色光ビームＬｂ１を収束させ、シリンドリカルレンズ８１により非点収差を持たせた上で当該青色光ビームＬｂ１をフォトディテクタ８２へ照射する。
【０１５８】
しかしながら光ディスク１００は、実際には面ブレ等を生じる可能性がある。このため第１対物レンズ３８は、上述したように、案内面位置制御光学系３０及び駆動制御部２２（図５）等によりフォーカス制御及びトラッキング制御されるようになされている。
【０１５９】
このとき青色光ビームＬｂ１の焦点Ｆｂ１は、第１対物レンズ３８の移動に伴って移動することになるため、第２対物レンズ７９が基準位置にあるときの青色光ビームＬｂ２における焦点Ｆｂ２の位置からずれることになる。
【０１６０】
そこで記録光照射面光学系７０では、記録層１０１内における青色光ビームＬｂ１の焦点Ｆｂ１に対する青色光ビームＬｂ２の焦点Ｆｂ２のずれ量が、集光レンズ８０により青色光ビームＬｂ１が集光されフォトディテクタ８２へ照射されるときの照射状態に反映されるよう、各種光学部品の光学的位置が調整されている。
【０１６１】
フォトディテクタ８２は、図１２に示すように、フォトディテクタ４３と同様、青色光ビームＬｂ１が照射される面上に、格子状に分割された４つの検出領域８２Ａ、８２Ｂ、８２Ｃ及び８２Ｄを有している。因みに矢印ａ２により示される方向（図中の横方向）は、青色光ビームＬｂ１が照射されるときの、反射透過膜１０４（図４）におけるトラックの走行方向に対応している。
【０１６２】
フォトディテクタ８２は、検出領域８２Ａ、８２Ｂ、８２Ｃ及び８２Ｄにより青色光ビームＬｂ１の一部をそれぞれ検出し、このとき検出した光量に応じて検出信号ＳＤＡｂ、ＳＤＢｂ、ＳＤＣｂ及びＳＤＤｂをそれぞれ生成して、これらを信号処理部２３（図５）へ送出する。
【０１６３】
信号処理部２３は、いわゆる非点収差法によるフォーカス制御を行うようになされており、次に示す（５）式に従ってフォーカスエラー信号ＳＦＥｂを算出し、これを駆動制御部２２へ供給する。
【０１６４】
【数５】
2009008938.tif 000007
【０１６５】
このフォーカスエラー信号ＳＦＥｂは、青色光ビームＬｂ１の焦点Ｆｂ１と青色光ビームＬｂ２の焦点Ｆｂ２とのフォーカス方向に関するずれ量を表すことになる。
【０１６６】
また信号処理部２３は、プッシュプル信号を用いたトラッキング制御を行うようになされており、次に示す（６）式に従ってトラッキングエラー信号ＳＴＥｂを算出し、これを駆動制御部２２へ供給する。
【０１６７】
【数６】
2009008938.tif 000008
【０１６８】
このトラッキングエラー信号ＳＴＥｂは、青色光ビームＬｂ１の焦点Ｆｂ１と青色光ビームＬｂ２の焦点Ｆｂ２とのトラッキング方向に関するずれ量を表すことになる。
【０１６９】
さらに信号処理部２３は、タンジェンシャル制御に必要なタンジェンシャルエラー信号も生成するようになされている。このタンジェンシャル制御とは、タンジェンシャル方向（すなわちトラックの接線方向）に関して青色光ビームＬｂ２の焦点Ｆｂ２を目標位置へ移動させる制御である。
【０１７０】
具体的に信号処理部２３は、プッシュプル信号を用いたタンジェンシャル制御を行うようになされており、次に示す（７）式に従ってタンジェンシャルエラー信号ＳＮＥｂを算出し、これを駆動制御部２２へ供給する。
【０１７１】
【数７】
2009008938.tif 000009
【０１７２】
このタンジェンシャルエラー信号ＳＮＥｂは、青色光ビームＬｂ１の焦点Ｆｂ１と青色光ビームＬｂ２の焦点Ｆｂ２とのタンジェンシャル方向に関するずれ量を表すことになる。
【０１７３】
これに応じて駆動制御部２２は、フォーカスエラー信号ＳＦＥｂを基にフォーカス駆動信号ＳＦＤｂを生成し、当該フォーカス駆動信号ＳＦＤｂを２軸アクチュエータ７９Ａへ供給することにより、青色光ビームＬｂ１の焦点Ｆｂ１に対する青色光ビームＬｂ２の焦点Ｆｂ２のフォーカス方向に関するずれ量を減少させるよう、第２対物レンズ７９をフォーカス制御するようになされている。
【０１７４】
また駆動制御部２２は、トラッキングエラー信号ＳＴＥｂを基にトラッキング駆動信号ＳＴＤｂを生成し、当該トラッキング駆動信号ＳＴＤｂを２軸アクチュエータ７９Ａへ供給することにより、青色光ビームＬｂ１の焦点Ｆｂ１に対する青色光ビームＬｂ２の焦点Ｆｂ２のトラッキング方向に関するずれ量を減少させるよう、第２対物レンズ７９をトラッキング制御するようになされている。
【０１７５】
さらに駆動制御部２２は、タンジェンシャルエラー信号ＳＮＥｂを基にタンジェンシャル駆動信号ＳＮＤｂを生成し、当該タンジェンシャル駆動信号ＳＮＤｂをガルバノミラー７８へ供給することにより、青色光ビームＬｂ１の焦点Ｆｂ１に対する青色光ビームＬｂ２の焦点Ｆｂ２のタンジェンシャル方向に関するずれ量を減少させるよう、ガルバノミラー７８における反射面７８Ａの角度を調整する、タンジェンシャル制御を行うようになされている。
【０１７６】
このように記録光照射面光学系７０は、光ディスク１００の記録光照射面１００Ｂから第２対物レンズ７９へ入射される青色光ビームＬｂ１を受光し、その受光結果を信号処理部２３へ供給するようになされている。これに応じて駆動制御部２２は、青色光ビームＬｂ２の焦点Ｆｂ２を青色光ビームＬｂ１の焦点Ｆｂ１に合わせるよう、第２対物レンズ７９のフォーカス制御及びトラッキング制御、並びにガルバノミラー７８によるタンジェンシャル制御を行うようになされている。
【０１７７】
（３−４）光路長の調整
ところで光ディスク装置２０の光ピックアップ２６は、情報を記録する際、上述したように、偏光ビームスプリッタ５５（図１０）により、青色光ビームＬｂ０から青色光ビームＬｂ１及びＬｂ２を分離し、光ディスク１００の記録層１０１内で当該青色光ビームＬｂ１及びＬｂ２を互いに干渉させることにより、当該記録層１０１内の目標マーク位置に記録マークＲＭを記録させるようになされている。
【０１７８】
この青色光ビームＬｂ０を出射するレーザダイオード５１は、一般的なホログラムの形成条件に従い、光ディスク１００の記録層１０１にホログラムとしての記録マークＲＭが正しく記録されるために、当該青色光ビームＬｂ０のコヒーレント長をホログラムサイズ（すなわち記録マークＲＭの高さＲＭｈ）以上とする必要がある。
【０１７９】
実際上レーザダイオード５１では、一般的なレーザダイオードと同様、このコヒーレント長が、当該レーザダイオード５１内に設けられた共振器（図示せず）の長さに当該共振器の屈折率を乗じた値にほぼ相当するため、およそ１００［μｍ］から１［ｍｍ］程度であると考えられる。
【０１８０】
一方、光ピックアップ２６では、青色光ビームＬｂ１が案内面情報光学系５０（図１０）内の光路を通り、光ディスク１００の案内面１００Ａ側から照射されると共に、青色光ビームＬｂ２が記録光照射面光学系７０（図１１）内の光路を通り、光ディスク１００の記録光照射面１００Ｂ側から照射される。すなわち光ピックアップ２６では、青色光ビームＬｂ１及びＬｂ２の光路が互いに異なっているため、その光路長（すなわちレーザダイオード５１から目標マーク位置までの光路の長さ）に差が生じることになる。
【０１８１】
さらに光ピックアップ２６では、上述したように、リレーレンズ６０及び７５における可動レンズ６１及び７６の位置を調整することにより、光ディスク１００の記録層１０１内における目標マーク位置の深さ（目標深さ）を変更するようになされている。このとき光ピックアップ２６は、目標マーク位置の深さを変更することにより、結果的に青色光ビームＬｂ１及びＬｂ２の光路長をそれぞれ変化させることになる。
【０１８２】
しかしながら、光ピックアップ２６において干渉パターンが形成されるには、一般的なホログラムの形成条件により、当該青色光ビームＬｂ１及びＬｂ２における光路長の差がコヒーレント長（すなわちおよそ１００［μｍ］から１［ｍｍ］）以下となる必要がある。
【０１８３】
そこで制御部２１（図５）は、可動ミラー５７の位置を制御することにより、青色光ビームＬｂ１の光路長を調整するようになされている。この場合、制御部２１は、リレーレンズ６０における可動レンズ６１の位置と目標マーク位置の深さとの関係を利用し、当該可動レンズ６１の位置に応じて可動ミラー５７を移動させることにより、当該青色光ビームＬｂ１の光路長を変化させるようになされている。
【０１８４】
この結果、光ピックアップ２６では、青色光ビームＬｂ１及びＬｂ２における光路長の差をコヒーレント長以下に抑えることができ、記録層１０１内の目標マーク位置に良好なホログラムでなる記録マークＲＭを記録することができる。
【０１８５】
このように光ディスク装置２０の制御部２１は、可動ミラー５７の位置を制御することにより、光ピックアップ２６内の青色光ビームＬｂ１及びＬｂ２における光路長の差をコヒーレント長以下に抑え、この結果として光ディスク１００の記録層１０１内における目標マーク位置に良好な記録マークＲＭを記録し得るようになされている。
【０１８６】
（４）情報の記録及び再生
（４−１）光ディスクに対する情報の記録
光ディスク１００に情報を記録する場合、光ディスク装置２０の制御部２１（図５）は、上述したように、外部機器（図示せず）等から情報記録命令、記録情報及び記録アドレス情報を受け付けると、駆動命令及び記録アドレス情報を駆動制御部２２へ供給すると共に、記録情報を信号処理部２３へ供給する。
【０１８７】
このとき駆動制御部２２は、光ピックアップ２６の案内面位置制御光学系３０（図８）により赤色光ビームＬｒ１を光ディスク１００の案内面１００Ａ側から照射させ、その反射光である赤色反射光ビームＬｒ２の検出結果を基に、第１対物レンズ３８のフォーカス制御及びトラッキング制御（すなわち位置制御）を行うことにより、赤色光ビームＬｒ１の焦点Ｆｒを記録アドレス情報に対応した目標トラックに追従させる。
【０１８８】
また制御部２１は、案内面情報光学系５０（図１０）により青色光ビームＬｂ１を光ディスク１００の案内面１００Ａ側から照射させる。このとき青色光ビームＬｂ１の焦点Ｆｂ１は、位置制御された第１対物レンズ３８によって集光されることにより、目標トラックの裏側に位置することになる。
【０１８９】
さらに制御部２１は、リレーレンズ６０における可動レンズ６１の位置を調整することにより、当該焦点Ｆｂ１（図４（Ｂ））の深さｄ１を目標深さに調整する。この結果、青色光ビームＬｂ１の焦点Ｆｂ１は、目標マーク位置に合わされる。
【０１９０】
一方、制御部２１は、記録光照射面光学系７０（図１１）のシャッタ７１を制御して
青色光ビームＬｂ２を透過させ、当該青色光ビームＬｂ２を光ディスク１００の記録光照射面１００Ｂ側から照射させる。
【０１９１】
また制御部２１は、リレーレンズ６０における可動レンズ６１の位置に合わせてリレーレンズ７５における可動レンズ７６の位置を調整することにより、青色光ビームＬｂ２（図４（Ｂ））の深さｄ２を調整する。これにより青色光ビームＬｂ２は、焦点Ｆｂ２の深さｄ２が、光ディスク１００に面ブレが生じていないと仮定した場合の青色光ビームＬｂ１における焦点Ｆｂ１の深さｄ１に合わされる。
【０１９２】
さらに制御部２１は、第１対物レンズ３８及び第２対物レンズ７９を介した青色光ビームＬｂ１を記録光照射面光学系７０により検出させ、その検出結果を基に、駆動制御部２２により第２対物レンズ７９のフォーカス制御及びトラッキング制御（すなわち位置制御）、並びにガルバノミラー７８のタンジェンシャル制御を行わせる。
【０１９３】
この結果、青色光ビームＬｂ２の焦点Ｆｂ２は、青色光ビームＬｂ１における焦点Ｆｂ１の位置、すなわち目標マーク位置に合わされる。
【０１９４】
そのうえ制御部２１は、リレーレンズ６０における可動レンズ６１の位置に応じて可動ミラー５７の位置を調整し、青色光ビームＬｂ１及びＬｂ２における光路長の差をコヒーレント長以下に抑える。
【０１９５】
かくして光ディスク装置２０の制御部２１は、光ディスク１００の記録層１０１内の目標マーク位置に対して、良好な記録マークＲＭを形成させることができる。
【０１９６】
ところで信号処理部２３（図５）は、外部機器（図示せず）等から供給される記録情報を基に、例えば値「０」又は「１」のバイナリデータを表す記録信号を生成する。これに応じてレーザダイオード５１は、例えば記録信号が値「１」である時に青色光ビームＬｂ０を出射し、記録信号が値「０」である時に青色光ビームＬｂ０を出射しないようになされている。
【０１９７】
これにより光ディスク装置２０では、記録信号が値「１」のときには光ディスク１００の記録層１０１内の目標マーク位置に記録マークＲＭを形成し、当該記録信号が値「０」のときには当該目標マーク位置に当該記録マークＲＭを形成しないことになるため、当該記録マークＲＭの有無により当該目標マーク位置に記録信号の値「１」又は「０」を記録することができ、結果的に記録情報を光ディスク１００の記録層１０１に記録することができる。
【０１９８】
（４−２）光ディスクからの情報の再生
光ディスク１００から情報を再生する場合、光ディスク装置２０の制御部２１（図５）は、光ピックアップ２６の案内面位置制御光学系３０（図８）により赤色光ビームＬｒ１を光ディスク１００の案内面１００Ａ側から照射させ、その反射光である赤色反射光ビームＬｒ２の検出結果を基に、駆動制御部２２により第１対物レンズ３８のフォーカス制御及びトラッキング制御（すなわち位置制御）を行わせる。
【０１９９】
また制御部２１は、案内面情報光学系５０（図１０）により青色光ビームＬｂ１を光ディスク１００の案内面１００Ａ側から照射させる。このとき青色光ビームＬｂ１の焦点Ｆｂ１は、位置制御された第１対物レンズ３８によって集光されることにより、目標トラックの裏側に位置することになる。
【０２００】
因みに制御部２１は、再生時におけるレーザダイオード５１の出射パワーを抑えることにより、青色光ビームＬｂ１による記録マークＲＭの誤消去を防止するようになされている。
【０２０１】
さらに制御部２１は、リレーレンズ６０における可動レンズ６１の位置を調整することにより、当該焦点Ｆｂ１（図４（Ｂ））の深さｄ１を目標深さに調整する。この結果、青色光ビームＬｂ１の焦点Ｆｂ１は、目標マーク位置に合わされる。
【０２０２】
一方、制御部２１は、記録光照射面光学系７０（図１１）のシャッタ７１を制御し、青色光ビームＬｂ２を遮断することにより、当該青色光ビームＬｂ２を光ディスク１００には照射させない。
【０２０３】
すなわち光ピックアップ２６は、光ディスク１００の記録層１０１内における目標マーク位置に記録されている記録マークＲＭに対して、いわゆる参照光としての青色光ビームＬｂ１のみを照射する。これに応じて当該記録マークＲＭは、ホログラムとして作用し、いわゆる再生光としての青色再生光ビームＬｂ３を案内面１０１Ａ側へ発生させる。このとき案内面情報光学系５０は、この青色再生光ビームＬｂ３を検出し、その検出結果に応じた検出信号を生成する。
【０２０４】
かくして光ディスク装置２０の制御部２１は、光ディスク１００の記録層１０１内における目標マーク位置に記録されている記録マークＲＭから青色再生光ビームＬｂ３を発生させ、これを受光することにより、記録マークＲＭが記録されていることを検出することができる。
【０２０５】
ここで光ディスク装置２０は、目標マーク位置に記録マークＲＭが記録されていなかった場合、当該目標マーク位置からは青色再生光ビームＬｂ３が発生しないため、案内面情報光学系５０により、当該青色再生光ビームＬｂ３を受光しなかったことを示す検出信号を生成することになる。
【０２０６】
これに応じて信号処理部２２は、検出信号を基に、青色再生光ビームＬｂ３が検出されたか否かを値「１」又は「０」として認識し、この認識結果を基に再生情報を生成する。
【０２０７】
これにより光ディスク装置２０では、光ディスク１００の記録層１０１内の目標マーク位置に記録マークＲＭが形成されているときには青色再生光ビームＬｂ３を受光し、当該目標マーク位置に当該記録マークＲＭが形成されていないときには青色再生光ビームＬｂ３を受光しないことにより、目標マーク位置に値「１」又は「０」のいずれが記録されているかを認識することができ、結果的に光ディスク１００の記録層１０１に記録された情報を再生することができる。
【０２０８】
（５）トラッキング制御の軽減
上述したように、記録マークＲＭは青色光ビームＬｂ１の焦点Ｆｂ１近傍（以下、これを焦点近傍領域Ａｆ１と呼ぶ）及び青色光ビームＬｂ２の焦点Ｆｂ２近傍（以下、これを焦点近傍領域Ａｆ２と呼ぶ）が重なる近傍重複部分にのみ形成される。
【０２０９】
ここで図１３（Ａ）に示すように、焦点Ｆｂ（Ｆｂ１、Ｆｂ２）とは、当該青色光ビームＬｂ１及びＬｂ２に回折現象がないと過程した場合に、第１対物レンズ３８及び第２対物レンズ７９によって集光される青色光ビームＬｂ１及びＬｂ２の光軸Ｌｘ上に形成される結像点をいう。
【０２１０】
また青色光ビームＬｂ１及びＬｂ２の光軸Ｌｘと、当該青色光ビームＬｂ１及びＬｂ２の輪郭（最外周部分）Ｌｏ（Ｌｏ１及びＬｏ２）とのなす角度を集光角α（第１集光角α１及び第２集光角α２）と呼ぶ。
【０２１１】
実際には図１３（Ｂ）に示すように、回折現象により青色光ビームＬｂ１及びＬｂ２はその焦点Ｆｂ１及びＦｂ２において点にならず、当該青色光ビームＬｂ１及びＬｂ２の光束径が最も小さくなるビームウエストＢＷと光軸Ｌｘとの交点が青色光ビームＬｂ１及びＬｂ２の焦点Ｆｂ１及びＦｂ２となる。
【０２１２】
図１４に示すように光ディスク装置２０では、焦点Ｆｂ２における青色光ビームＬｂ２の光束径（以下、これをビームウエスト径Ｓ２と呼ぶ）を焦点Ｆｂ１における青色光ビームＬｂ１の光束径（以下、これをビームウエスト径Ｓ１と呼ぶ）よりも大きくすることにより、焦点近傍領域Ａｆ１と焦点近傍領域Ａｆ２とを確実に重ねるようにする。
【０２１３】
すなわち光ディスク装置２０では、第１対物レンズ３８の開口数ＮＡを約０．５に選定しているのに対し、第２対物レンズ７９の開口数ＮＡを当該第１対物レンズ３８の１／２である約０．２５に選定することにより、第２対物レンズ７９によって集光された青色光ビームＬｂ２の第２集光角α２を、第１対物レンズ３８によって集光された青色光ビームＬｂ１の第１集光角α１よりも小さくしている。なお、第２対物レンズ７９の屈折率ｎは、第１対物レンズ３８と同一の１．５である。
【０２１４】
この結果光ディスク装置２０では、（２）式に従って算出される青色光ビームＬｂ１のビームウエスト径Ｓ１を約１[μｍ]とすることができるのに対し、青色光ビームＬｂ２のビームウエスト径Ｓ２を約２[μｍ]と、ビームウエスト径Ｓ１の約２倍にすることができる。
【０２１５】
この場合、ビームウエスト径Ｓ２よりもビームウエスト径Ｓ１が小さいため、光束径方向において青色光ビームＬｂ１の存在する焦点近傍領域Ａｆ１のみが近傍重複部分となり、当該焦点近傍領域Ａｆ１にのみ記録マークＲＭが形成される。
【０２１６】
これにより光ディスク装置２０は、青色光ビームＬｂ１のビームウエスト径Ｓ１を基準としたサイズの記録マークＲＭを記録層１０１に形成することができるため、ビームウエスト径Ｓ１でなる２つの光ビームを重ねて記録マークを形成する場合と同一サイズの記録マークＲＭを形成でき、光ディスク１００における記録密度を低下させずに済む。
【０２１７】
またビームウエスト径Ｓ２がビームウエスト径Ｓ１よりも大きいため、例えば図１５に示すように、青色光ビームＬｂ１と青色光ビームＬｂ２の光軸Ｌｘ（Ｌｘ１及びＬｘ２）がずれたような場合であっても、焦点近傍領域Ａｆ２における青色光ビームＬｂ２の輪郭部分Ｌｏ２が青色光ビームＬｂ１の輪郭部分Ｌｏ１から外れない範囲に入ってさえいれば、焦点近傍領域Ａｆ１を近傍重複部分とすることができ、ビームウエスト径Ｓ１でなる記録マークＲＭを確実に形成することができる。
【０２１８】
ここで図１６に示すように、青色光ビームＬｂ１及びＬｂ２は、その焦点近傍領域Ａｆ１及びＡｆ２ではその波面がほぼ平面であるが、焦点Ｆｂ１及びＦｂ２から遠ざかるに従って波面が曲面となる。近傍重複部分に形成されるホログラムにはこの波面が反映されるため、波面が平面の場合には平面でなる縞が記録マークＲＭとして記録される一方、波面が曲面の場合には曲面でなる縞が記録マークＲＭとして記録されることになる。なお実際には青色光ビームＬｂ１及びＬｂ２とで光束径が異なるが、説明の便宜上、図では同一の光束径として示している。
【０２１９】
光ディスク装置２０は、リレーレンズ６０及び７５によって青色光ビームＬｂ１及びＬｂ２の収束状態を調整し、焦点Ｆｂ１及びＦｂ２を共に目標深さに合わせることにより、青色光ビームＬｂ１及びＬｂ２における焦点近傍領域Ａｆ１及びＡｆ２を重複させることができ、記録層１０１に平面な縞状でなる記録マークＲＭを形成することができる。
【０２２０】
これにより光ディスク装置２０は、再生処理の際、記録マークＲＭに青色光ビームＬｂ１を乱反射させることなく、良好な青色再生光ビームＬｂ３を発生させ得るようになされている。
【０２２１】
ところで光ディスク装置２０は、上述したように反射膜１０４に形成されたグルーブを基準とした目標トラックに青色光ビームＬｂ１を照射するよう第１対物レンズ３８を駆動するのに対し、この青色光ビームＬｂ１の光軸Ｌｘ１に青色光ビームＬｂ２の光軸Ｌｘ２を追従させるよう第２対物レンズ７９を駆動することによりトラッキング制御を実行し、青色光ビームＬｂ１及びＬｂ２を目標トラックにそれぞれ照射する。
【０２２２】
仮にビームウエスト径Ｓ１及びＳ２が同一径であれば、直径がビームウエスト径Ｓ１でなる記録マークＲＭを形成するには、光軸Ｌｘ１及びＬｘ２を高精度に一致させる必要があった。
【０２２３】
これに対して光ディスク装置２０は、第２対物レンズ７９の駆動によって青色光ビームＬｂ２が青色光ビームＬｂ１の移動に追従しきれないような場合であっても、ビームウエスト径Ｓ２が大きいため、青色光ビームＬｂ２の輪郭部分Ｌｏ２が青色光ビームＬｂ１の輪郭部分Ｌｏ１からはみ出さない範囲に入ってさえいれば、焦点近傍領域Ａｆ１と焦点近傍領域Ａｆ２を重複させることができ、第１対物レンズ３８の駆動により記録マークＲＭを常に目標マーク位置に形成できると共に、ビームウエスト径Ｓ１でなる記録マークＲＭを記録層１０１に確実に形成し得るようになされている。
【０２２４】
またビームウエスト径Ｓ１がビームウエスト径Ｓ２の１／２でなることから、焦点近傍領域Ａｆ１における光束面積は焦点近傍領域Ａｆ２の１／２２、すなわち約１／４となる。
【０２２５】
光ディスク装置２０では、第１対物レンズ３８に入射するときの青色光ビームＬｂ１の光強度（以下、これを第１対物レンズ入射強度ＰＷ１と呼ぶ）を第２対物レンズ７９に入射するときの青色光ビームＬｂ２の光強度（以下、これを第２対物レンズ入射強度ＰＷ２と呼ぶ）の約１／４に調整することにより、焦点近傍領域Ａｆ１及びＡｆ２における青色光ビームＬｂ１及びＬｂ２の単位面積あたりの光強度（すなわち光強度密度）を同程度に調整しているため、干渉特性を向上させ、鮮明なホログラムでなる記録マークＲＭを形成することができる。
【０２２６】
具体的に、光ディスク装置２０は、１／２波長板５３によるｐ偏光及びｓ偏光の割合の調整と、ビームスプリッタ５５によるｐ偏光及びｓ偏光の分離により、青色光ビームＬｂ０の約２５％を青色光ビームＬｂ１として案内面情報光学系５０の１／４波長板５６へ入射すると共に、残りの約７５％を青色光ビームＬｂ２として記録光照射面光学系７０へ入射する。
【０２２７】
また光ディスク装置２０は、記録光照射面光学系７０において、ｓ偏光として分離した青色光ビームＬｂ２の光強度を殆ど低下させることなく第２対物レンズ７９へ入射する。
【０２２８】
この結果光ディスク装置２０は、第１対物レンズ入射強度ＰＷ１を第２対物レンズ入射強度ＰＷ２の約１／４にすることができ、焦点近傍領域Ａｆ１及びＡｆ２における光強度密度を同程度にすることができる。
【０２２９】
さらに光ディスク装置２０は、光ディスク１００に対する再生処理の際、当該光ディスク１００に対し、第１対物レンズ３８（図１２）を介して青色光ビームＬｂ１を照射し、青色光ビームＬｂ１が光ディスク１００によって反射されてなる青色再生光ビームＬｂ３をフォトディテクタ６５によって受光する。
【０２３０】
このとき光ディスク装置２０は、第２対物レンズ７９を介して青色光ビームＬｂ２を照射する場合と比較して、ビームウエスト径Ｓ２よりもビームウエスト径Ｓ１が小さいため、目標マーク位置に隣接する記録マークＲＭによって青色光ビームＬｂ１が反射される、いわゆるクロストークを低減することができ、記録マークＲＭ同士の間隔を小さくして記録密度を向上させることができる。
【０２３１】
このように光ディスク装置２０は、ビームウエスト径Ｓ２を青色光ビームＬｂ１のビームウエスト径Ｓ１より大きくすることにより、青色光ビームＬｂ１の光軸Ｌｘ１に青色光ビームＬｂ２の光軸Ｌｘ２を完全に一致させなくても確実に記録マークＲＭを形成できるため、青色光ビームＬｂ１の光軸Ｌｘ１に青色光ビームＬｂ２の光軸Ｌｘ２を一致させるトラッキング制御の負荷を軽減することができる。
【０２３２】
（６）動作及び効果
以上の構成において、本発明の光ディスク装置２０は、光源であるレーザダイオード５１から出射された光である青色光ビームＬｂ０を第１の光である青色光ビームＬｂ１及び第２の光である青色光ビームＬｂ２に分離すると共に、光情報記録媒体である光ディスク１００の両面側から青色光ビームＬｂ１及びＬｂ２をそれぞれ照射し、光ディスク１００の内部で当該青色光ビームＬｂ１及びＬｂ２を重複させることによりホログラムでなる記録マークＲＭを形成する。
【０２３３】
このとき光ディスク装置２０は、青色光ビームＬｂ１を集光して光ディスク１００に照射し、光ディスク１００に対して近接又は離隔する深さ方向における記録マークＲＭを形成すべき目標深さ、及び光ディスク１００の両面に平行な平行方向であるトラッキング方向における記録マークＲＭを形成すべきに目標トラックに、青色光ビームＬｂ１の焦点Ｆｂ１が位置するように焦点Ｆｂ１を移動させ、光ディスク１００に照射されるときの青色光ビームＬｂ１の光軸Ｌｘ１と輪郭Ｌｏ１とのなす第１集光角α１よりも、光ディスク１００に照射されるときの青色光ビームＬｂ２の光軸Ｌｘ２と輪郭Ｌｏ２とのなす第２集光角α２を小さくすることにより、焦点Ｆｂ１における光束径であるビームウエスト径Ｓ１よりも焦点Ｆｂ２における光束径であるビームウエスト径Ｓ２が大きくなるように青色光ビームＬｂ２を集光して光ディスク１００に照射し、焦点Ｆｂ２を目標深さに合わせると共に青色光ビームＬｂ２を目標トラックに照射するよう焦点Ｆｂ２を移動させるようにした。
【０２３４】
これにより光ディスク装置２０は、青色光ビームＬｂ２が目標マーク位置に照射されてさえいれば焦点Ｆｂ１に応じた記録マークＲＭを目標マーク位置に形成することができるため、焦点Ｆｂ２を正確に目標トラックに位置させなくても済み、青色光ビームＬｂ２のサーボ制御にかかる負荷を軽減することができる。
【０２３５】
また光ディスク装置２０は、青色光ビームＬｂ２の光軸Ｌｘ２が青色光ビームＬｂ１の光軸Ｌｘ１に追従するよう第２対物レンズ７９を駆動する２軸アクチュエータ７９Ａを制御することにより、青色光ビームＬｂ２を目標トラックに照射するようにした。
【０２３６】
これにより光ディスク装置２０は、仮に青色光ビームＬｂ２の光軸Ｌｘ２を青色光ビームＬｂ１の光軸Ｌｘ１に一致させるよう高精度で追従させた場合に、青色光ビームＬｂ１の動きに追従するため、青色光ビームＬｂ１と比してサーボ制御の負荷が大きくなるが、光軸Ｌｘ１と光軸Ｌｘ２とを完全に一致させる必要がないため、青色光ビームＬｂ２に対するサーボ制御を軽減することができる。
【０２３７】
さらに光ディスク装置２０では、焦点Ｆｂ２における青色光ビームＬｂ２の光強度密度と、焦点Ｆｂ１における青色光ビームＬｂ１の光強度密度とを同等に揃えることより、青色光ビームＬｂ１及びＬｂ２の干渉性を向上させることができ、良好な再生特性を有する記録マークＲＭを形成することができる。
【０２３８】
以上の構成によれば、青色光ビームＬｂ１のビームウエスト径Ｓ１よりも青色光ビームＬｂ２のビームウエスト径Ｓ２を大きくすると共に、青色光ビームＬｂ１の焦点Ｆｂ１を目標マーク位置に位置させる一方、青色光ビームＬｂ２の焦点Ｆｂ２を目標マーク位置の近傍に位置させて当該青色光ビームＬｂ２を目標マーク位置に照射することにより、第１の光の焦点と第２の光の焦点とが多少ずれた場合であっても、第１の光に応じた大きさの記録マークを目標位置に形成することができるため、ビームウエスト径Ｓ１でなる記録マークＲＭを目標マーク位置に形成しつつ、青色光ビームＬｂ２に対するサーボ制御を軽減することができ、かくしてサーボ制御の負荷を軽減し得る光情報記録装置、光ピックアップ、光情報記録方法及び光情報記録媒体を実現できる。
【０２３９】
（７）他の実施の形態
なお上述した実施の形態においては、青色光ビームＬｂ１の光軸Ｌｘ１と青色光ビームＬｂ２の光軸Ｌｘ２が一致するように第２対物レンズ７９をトラッキング方向に駆動するようにした場合について述べたが、本発明はこれに限らず、例えば第２対物レンズ７９をトラッキングエラー信号ＳＴＥｂに基づいて第１対物レンズ３８と同様に駆動するようにしても良い。
【０２４０】
このとき、光ディスク１００にスキュー（傾き）や反りなどが生じている場合には、青色光ビームＬｂ２の焦点Ｆｂ２が目標マーク位置から僅かに変位することになるが、焦点Ｆｂ２が目標マーク位置の近傍に位置するように青色光ビームＬｂ２が照射されており、焦点近傍領域Ａｆ１及びＡｆ２が重複すれば良い。
【０２４１】
すなわち、光ディスク装置２０は、ビームウエスト径Ｓ１が小さい青色光ビームＬｂ１の焦点Ｆｂ１を目標マーク位置に正確に位置するように照射さえすれば、当該青色光ビームＬｂ１に応じて目標マーク位置に正確に記録マークＲＭを形成することができる。
【０２４２】
これにより、青色光ビームＬｂ２の光軸Ｌｘ２を青色光ビームＬｂ１の光軸Ｌｘ１に一致させるための光学部品（偏光ビームスプリッタ７２、マルチレンズ８０、シリンドリカルレンズ８１及びフォトディテクタ８２）が不要になり、光ピックアップの構成を簡易にすることができる。
【０２４３】
また上述した実施の形態においては、第２対物レンズ７９の開口数ＮＡを第１対物レンズ３８の開口数ＮＡよりも小さくし、リレーレンズ７５によって青色光ビームＬｂ２の収束状態を調整することにより、第２集光角α２を第１集光角α１よりも小さくしつつ目標深さに焦点Ｆｂ２を合わせるようにした場合について述べたが、本発明はこれに限らず、第２対物レンズ７９として第１対物レンズ３８と同一のものを使用すると共に、例えば各種レンズやアパーチャなどの青色光ビームＬｂ２の光束径を小さく整形するための光学部品を第２対物レンズ７９の前段に設け、第２対物レンズ７９に入射するときの青色光ビームＬｂ２の光束径を第１対物レンズに入射するときの青色光ビームＬｂ１の光束径よりも小さくするようにしても良い。この場合であっても、上述した実施の形態と同様の効果を得ることができる。
【０２４４】
また第１対物レンズ３８及び第２対物レンズ７９の屈折率及び開口数ＮＡ、並びに当該第１対物レンズ３８及び第２対物レンズ７９に入射されるときの青色光ビームＬｂ１及びＬｂ２の収束状態及び光束径を適宜選定することにより、第２集光角α２を第１集光角α１よりも小さくしつつ、焦点Ｆｂ２を目標深さに合わせることができる。
【０２４５】
さらに上述した実施の形態においては、第２集光角α２を第１集光角α１の約１／２にするようにした場合について述べたが、本発明はこれに限らず、青色光ビームＬｂ２に対するトラッキング制御の精度や、光ディスク１００が有する反り、青色光ビームＬｂ０の出射光強度などの各種状況に応じて第２集光角α２を適宜選択することができる。
【０２４６】
さらに上述した実施の形態においては、焦点Ｆｂ１における青色光ビームＬｂ１の光強度密度と、焦点Ｆｂ２における青色光ビームＬｂ２の光強度密度が同等であるようにした場合について述べたが、本発明はこれに限らず、相違していても良い。
【０２４７】
さらに上述した実施の形態においては、再生処理の際、ビームウエスト径Ｓ１の小さい青色光ビームＬｂ１を記録層１０１に照射するようにした場合について述べたが、本発明はこれに限らず、青色光ビームＬｂ２を記録層１０１に照射するようにしても良い。
【０２４８】
さらに上述した実施の形態においては、１／２波長板５３及び偏光ビームスプリッタ５５によって青色光ビームＬｂ１及びＬｂ２の割合を調整し、焦点Ｆｂ１及びＦｂ２付近における光強度密度を調整するようにした場合について述べたが、本発明は限らず、例えば青色光ビームＬｂ１を所定の割合でカットするいわゆるＮＤフィルタなど、種々の手法を用いることができる。
【０２４９】
さらに上述した実施の形態においては、円盤状の光ディスク１００に対して記録マークＲＭを形成するようにした場合について述べたが、本発明はこれに限らず、例えば直方体でなる光情報記録媒体に記録マークＲＭを形成するようにしても良い。
【０２５０】
さらに上述した実施の形態においては、第１の集光部としての第１対物レンズ３８及びリレーレンズ６０と、第１の焦点移動部としてのアクチュエータ３８Ａ及びリレーレンズ６０と、第２の集光部としての第２対物レンズ７９及びリレーレンズ７５と、第２の焦点移動部としてのアクチュエータ７９Ａ及びリレーレンズ７５とによって光情報記録装置としての光ディスク装置２０を構成するようにした場合について述べたが、本発明はこれに限らず、その他種々の構成でなる第１の集光部と、第１の焦点移動部と、第２の集光部と、第２の焦点移動部とによって本発明の光情報記録装置を構成するようにしても良い。
【産業上の利用可能性】
【０２５１】
本発明は、記録媒体としての光ディスクに音楽コンテンツや映像コンテンツ或いは各種データ等を大量に記録する光ディスク装置において利用することができる。
【図面の簡単な説明】
【０２５２】
【図１】従来の定在波記録型光ディスク装置の構成（１）を示す略線図である。
【図２】ホログラムの形成の様子を示す略線図である。
【図３】従来の定在波記録型光ディスク装置の構成（２）を示す略線図である。
【図４】本発明の一実施形態による光ディスクの構成を示す略線図である。
【図５】本発明の一実施形態による光ディスク装置の構成を示す略線図である。
【図６】光ピックアップの外観構成を示す略線図である。
【図７】光ピックアップの構成を示す略線図である。
【図８】赤色光ビームの光路を示す略線図である。
【図９】フォトディテクタにおける検出領域の構成（１）を示す略線図である。
【図１０】青色光ビームの光路（１）を示す略線図である。
【図１１】青色光ビームの光路（２）を示す略線図である。
【図１２】フォトディテクタにおける検出領域の構成（２）を示す略線図である。
【図１３】焦点とビームウエストの説明に供する略線図である。
【図１４】ホログラムの形成（１）の説明に供する略線図である。
【図１５】ホログラムの形成（２）の説明に供する略線図である。
【図１６】青色光ビームの波面を示す略線図である。
【符号の説明】
【０２５３】
２０……光ディスク装置、２１……制御部、２２……駆動制御部、２３……信号処理部、２６……光ピックアップ、３０……案内面位置制御光学系、３１、５１……レーザダイオード、３７、５５、５８、７２……偏光ビームスプリッタ、３８……第１対物レンズ、３８Ａ、７９Ａ……アクチュエータ、４３、６４、８２……フォトディテクタ、５０……案内面情報光学系、５６……１／４波長板、５７……可動ミラー、６０、７５……リレーレンズ、６１、７６……可動レンズ、７０……記録光照射面光学系、７１……シャッタ、７８……ガルバノミラー、７９……第２対物レンズ、１００……光ディスク、１０１……記録層、１０２、１０３……基板、１０４……反射透過膜、Ｌｒ１……赤色光ビーム、Ｌｒ２……赤色反射光ビーム、Ｌｂ０、Ｌｂ１、Ｌｂ２……青色光ビーム、Ｌｂ３……青色再生光ビーム、Ｌｂ１０……青色反射光ビーム、Ｆｒ、Ｆｂ１、Ｆｂ２……焦点、ＲＭ……記録マーク、Ｌｘ……光軸、Ｌｏ……最外周部分、α、α１、α２……集光角。
【図１】
2009008938.tif 000010
【図２】
2009008938.tif 000011
【図３】
2009008938.tif 000012
【図４】
2009008938.tif 000013
【図５】
2009008938.tif 000014
【図６】
2009008938.tif 000015
【図７】
2009008938.tif 000016
【図８】
2009008938.tif 000017
【図９】
2009008938.tif 000018
【図１０】
2009008938.tif 000019
【図１１】
2009008938.tif 000020
【図１２】
2009008938.tif 000021
【図１３】
2009008938.tif 000022
【図１４】
2009008938.tif 000023
【図１５】
2009008938.tif 000024
【図１６】
2009008938.tif 000025